(57)【特許請求の範囲】
【請求項１】
始動領域への遊技媒体の流入に基づき取得した判定情報の判定を行い、該判定の結果に基づいて遊技者に有利な特別遊技を実行可能な遊技機において、
遊技の進行に応じて所定の数値情報を更新する情報更新手段と、
遊技に関する情報を外部に出力するための外部出力部と、
前記外部出力部を介して遊技に関する情報を出力する情報出力手段と、を備え、
前記情報出力手段は、
種別を示す情報種別信号、数値を示す数値情報信号及びタイミング信号の３種類がセットで出力し、
前記タイミング信号は、外部出力部から出力され、常態においてＯＮとなっており、情報種別信号及び数値情報信号の出力中においてＯＦＦとなることで、情報種別信号及び数値情報信号の読み取り開始、読み取り終了のタイミングを外部に通知するようになっている、
ことを特徴とする遊技機。
【請求項２】
前記判定の結果を報知するための図柄の変動表示を行う変動表示実行手段を備え、
前記情報出力手段は、
前記変動表示の開始に際して結果情報を送信することを特徴とする請求項１に記載の遊技機。
【請求項３】
前記判定の結果に基づいて遊技者に有利な度合いが異なる複数種類の前記特別遊技の何れかを実行するよう構成され、
前記情報出力手段は、結果情報として前記特別遊技の種類を特定可能な情報を出力することを特徴とする請求項１または請求項２に記載の遊技機。
【発明の詳細な説明】
【技術分野】
【０００１】
本発明は、遊技機に関する。
【背景技術】
【０００２】
従来の遊技機、例えば、パチンコ遊技機においては、入賞領域への遊技媒体の流入に基づいて、遊技者に遊技価値を付与するものが一般的である。
【０００３】
このような遊技機では、遊技の進行に基づき生じた事象の発生を示す遊技情報を外部端子板に設けられる出力端子から遊技機の外部（ホールコンピュータ等）に出力するようなものがあった（例えば、特許文献１参照）。
【先行技術文献】
【特許文献】
【０００４】
【特許文献１】特開２０１５−１３０９７８号公報
【発明の概要】
【発明が解決しようとする課題】
【０００５】
しかしながら、上記特許文献に記載された遊技機では、遊技の進行に応じた具体的な遊技情報を外部に出力できていないという問題があった。
【０００６】
本発明は、上記した問題点に鑑みてなされたものであり、遊技の進行に応じた具体的な遊技情報を外部に出力することが可能な遊技機を提供することを目的とする。
【課題を解決するための手段】
【０００７】
上記課題を解決するため、請求項１に記載の発明は、始動領域への遊技媒体の流入に基づき取得した判定情報の判定を行い、該判定の結果に基づいて遊技者に有利な特別遊技を実行する遊技機において、遊技の進行に応じて所定の数値情報を更新する情報更新手段と、遊技に関する情報を外部に出力するための外部出力部と、前記外部出力部を介して遊技に関する情報を出力する情報出力手段と、を備え、前記情報出力手段は、前記演出実行手段による前記予告演出に用いられ、当該予告演出の実行の有無及び実行する前記予告演出の種類を決定するための設備予告演出判定テーブルを備え、前記設備予告演出判定テーブルには、前記予告演出のロング演出の設定、前記予告演出のショート演出の設定が対応付けられ、前記設備予告演出判定テーブルによれば、前記期間特定手段が特定した前記遊技期間が、所定回数未満の場合には前記ロング演出が実行不能であって前記ショート演出が実行可能となり、所定回数以上の場合には前記ロング演出も前記ショート演出も実行可能となっている、ことを特徴とする。
【０００８】
請求項２に記載の発明は、請求項１に記載の遊技機において、前記判定の結果を報知するための図柄の変動表示を行う変動表示実行手段を備え、前記情報出力手段は、前記変動表示の開始に際して結果情報を送信することを特徴とする。
【０００９】
請求項３に記載の発明は、請求項１または２に記載の遊技機において、前記判定の結果に基づいて遊技者に有利な度合いが異なる複数種類の前記特別遊技の何れかを実行するよう構成され、前記情報出力手段は、結果情報として前記特別遊技の種類を特定可能な情報を出力することを特徴とする。
【発明の効果】
【００１０】
本発明によれば、遊技の進行に応じた具体的な情報を外部に出力することが可能となる。
【図面の簡単な説明】
【００１１】
【図１】遊技機の正面図を示す図である。
【図２】遊技機の制御ブロック図を示す図である。
【図３】遊技機のゲームフローを示す図である。
【図４】遊技機のメイン制御装置の機能ブロック図である。
【図５】遊技機のサブ制御装置の機能ブロック図である。
【図６】メイン制御装置のメイン処理を示すフローチャートである。
【図７】メイン制御装置のタイマ割込処理を示すフローチャートである。
【図８】メイン制御装置の入力処理を示すフローチャートである。
【図９】メイン制御装置の特図遊技処理を示すフローチャートである。
【図１０】メイン制御装置の特図保留記憶判定処理を示すフローチャートである。
【図１１】（ａ）は大当たり判定テーブルの一例を示す図であり、（ｂ）は特図停止図柄判定テーブルの一例を示す図である。
【図１２】特図変動パターン判定テーブルの一例を示す図である。
【図１３】メイン制御装置の普図遊技処理を示すフローチャートである。
【図１４】メイン制御装置の遊技情報更新処理を示すフローチャートである。
【図１５】メイン制御装置の遊技情報出力設定処理を示すフローチャートである。
【図１６】外部出力端子板から出力される遊技情報信号を示す図である。
【図１７】外部出力端子板から出力される情報種別信号と数値情報信号の詳細を示す図である。
【図１８】普通始動口への遊技球の入賞時に特別遊技情報を出力する場合のタイミングチャートである。
【図１９】第１始動口への遊技球の入賞時に特別遊技情報を出力する場合のタイミングチャートである。
【図２０】第１特図保留に基づく特別図柄の変動表示の開始時に特別遊技情報を出力する場合のタイミングチャートである。
【図２１】大当たり遊技のオープニングから第１ラウンドにかけて特別遊技情報を出力する場合のタイミングチャートである。
【図２２】大当たり遊技のインターバル期間中に特別遊技情報を出力する場合のタイミングチャートである。
【図２３】大当たり遊技のエンディング期間中に特別遊技情報を出力する場合のタイミングチャートである。
【図２４】特別遊技情報の出力形態の変形例を示す図である。
【図２５】サブ制御装置のメイン処理を示すフローチャートである。
【図２６】サブ制御装置のタイマ割込処理を示すフローチャートである。
【図２７】サブ制御装置の特図遊技演出処理を示すフローチャートである。
【図２８】サブ制御装置の普図遊技演出処理を示すフローチャートである。
【発明を実施するための形態】
【００１２】
以下、本発明の好ましい実施形態について図面を参照しながら説明する。
【００１３】
［遊技機の基本構成］
はじめに、本実施形態に係る遊技機１の正面図である図１を参照しながら、遊技機１の基本構成について説明する。
【００１４】
遊技機１（パチンコ遊技機）は、前面下部に飾り板２ａが取り付けられる矩形フレーム状の外枠２と、外枠２の前面側に第１蝶番部３を介して左右方向に開閉可能なように軸着される内枠４と、前面に形成される遊技領域５ａが前方に臨む状態で内枠４に着脱可能なように取り付けられる遊技盤５と、遊技盤５の前面を覆うように内枠４の前面側に第２蝶番部６を介して左右方向に開閉可能なように軸着されるガラス枠７を備えている。
【００１５】
内枠４には、内枠４やガラス枠７の開閉状態を検出するための枠開放検出スイッチ７ａや、外枠２に対して内枠４を閉鎖状態に保持すると共に、内枠４に対してガラス枠７を閉鎖状態に保持するための施錠装置８や、遊技領域５ａに向けて遊技球（遊技媒体）を発射するための発射ソレノイドを有する発射装置３０（図２参照）が設けられている。
【００１６】
施錠装置８は、常態では内枠４及びガラス枠７を閉鎖状態に保持しているが、ガラス枠７の前方に臨む鍵穴に専用の鍵を挿入し、一方向に回転させると外枠２と内枠４の施錠が解除され、他方向に回転させると内枠４とガラス枠７の施錠が解除される。
【００１７】
なお、図示していないが、内枠４の裏面側には、遊技機１が設置される島設備から供給される遊技球を貯留する球貯留タンクと、球貯留タンクに貯留された遊技球を流下させる貯留球流路と、貯留球流路から供給される遊技球を遊技者に払い出すための払出モータを有する払出装置８５（図２参照）と、遊技に関する遊技情報（信号）を遊技機１の外部に出力するための外部出力端子板８６（図２参照）と、後述する制御装置や被制御装置に動作電源やバックアップ電源を供給するための電源装置（図示省略）が設けられている。
【００１８】
ガラス枠７の略中央部分には、前後方向に開放する開口部９が形成されると共に、開口部９を後方から塞ぐように透明部材１０（強化ガラス板やアクリル板）が取り付けられ、この開口部９及び透明部材１０を介して内枠４に取り付けられた遊技盤５の遊技領域５ａが視認可能となっている。
【００１９】
ガラス枠７の前面側には、所定の演出音を出力するためのスピーカー１２と、所定の発光態様で発光演出を行うための枠発光部１３と、反射板の回転により回転発光演出を行うための回転発光部１４と、所定の表示態様で表示演出を行うための枠表示器１５と、払出装置８５から払い出された遊技球を貯留するための上皿ユニット１７と、上皿ユニットで貯留しきれなくなった遊技球を貯留するための下皿ユニット２７と、遊技球の発射操作を行うための発射ハンドル３１が設けられている。
【００２０】
上皿ユニット１７の上部左寄りには、上皿払出口１８ａを介して払い出された遊技球を貯留すると共に、底面が発射ハンドル３１側に向けて下り傾斜する上皿１８が設けられ、この下り傾斜の端部に設けられた球送り装置（図示省略）によって、上皿１８を流下してきた遊技球が１個ずつ発射装置３０に供給されるようになっている。なお、球送り装置によって発射装置３０に供給される遊技球数及び発射装置３０によって発射される遊技球数は１分間におよそ１００個となっている。
【００２１】
上皿ユニット１７の上部右寄りには、上皿１８に貯留された遊技球を下皿ユニット２７に抜き取る球抜き操作を行うための上皿球抜きボタン１９と、遊技機１と隣り合うように島設備に設置される球貸機に遊技者が投入した有価価値の残高を表示するための残高表示部２０と、有価価値と引き換えに遊技球の貸出を受ける貸出操作を行うための球貸ボタン２１と、球貸機から有価価値の残高が記憶された記憶媒体（カード、コイン等）を排出させる返却操作を行うための返却ボタン２２と、遊技店員や遊技者が選択操作を行うための選択ボタン装置２３が設けられている。
【００２２】
選択ボタン装置２３は、遊技者が上下左右の選択操作を行うため十字キー状の選択ボタン２４と、選択ボタン２４に対する操作を検出する選択ボタンスイッチ２４ａと、選択ボタンのうちで操作が有効となっているボタンを発光させる選択ボタンＬＥＤ２４ｂを備えており、遊技店員や遊技者が遊技機１への選択入力を行うことが可能となっている。
【００２３】
上皿ユニット１７の中央前寄りには、上皿１８の前端部分から遊技者側に向けて下り傾斜する傾斜面部が設けられ、傾斜面部の中央部分には、遊技店員や遊技者が決定操作を行うための演出ボタン装置２５が設けられている。
【００２４】
演出ボタン装置２５は、遊技者が決定操作を行うための円形状の演出ボタン２６と、演出ボタン２６に対する操作を検出する演出ボタンスイッチ２６ａと、操作が有効となっている演出ボタン２６を発光させる演出ボタンＬＥＤ２６ｂと、演出ボタン２６を上下方向に移動させるための演出ボタン駆動モータ２６ｃを備えており、遊技店員や遊技者が遊技機１への決定入力を行うことが可能となっている。
【００２５】
下皿ユニット２７の左寄りには、上皿１８から下皿払出口２８ａに導かれた遊技球を貯留するための下皿２８と、下皿２８に貯留された遊技球を下皿２８の下方（遊技機外）に抜き取るための球抜き操作を行うための下皿球抜きボタン２９が設けられている。
【００２６】
発射ハンドル３１は、ガラス枠７の前方に突出するハンドルベース３２と、該ハンドルベース３２に回動可能に支持される発射操作部３３と、ハンドルベース３２又は発射操作部３３に遊技者の手が触れていることを検出するためのタッチセンサ３３ａ（図示省略）と、発射装置３０による遊技球の発射を停止させる停止操作を行うための発射停止スイッチ３４を備えている。
【００２７】
遊技盤５の前面の外縁寄りには、遊技領域５ａを略円形状に区画するための湾曲形状の内側レール３５と外側レール３６が設けられ、内側レール３５と外側レールの間には、発射装置３０によって発射された遊技球を遊技盤５の左下端部から遊技領域５ａの左上部に誘導する球案内路３７が形成され、球案内路３７の球出口には、遊技領域５ａに進入した遊技球が球案内路３７に戻ることを防止する球戻り防止弁３８が設けられている。
【００２８】
遊技領域５ａの略中央には、前後方向に開放する開口部が形成され、この開口部の周縁を装飾するように遊技球の内部への進入を規制する枠状の飾りフレーム３９が配設され、飾りフレーム３９の内側に演出空間４０が形成されている。
【００２９】
飾りフレーム３９の側部には、遊技領域５ａの右側領域を流下する遊技球を飾りフレームの内側に誘導するワープ装置４１が設けられ、ワープ装置４１の内部に遊技球を流入させる導入口４１ａが遊技領域５ａに向けて開口し、ワープ装置４１の内部に流入した遊技球を流出させる導出口４１ｂが飾りフレーム３９の底部に向けて開口している。
【００３０】
飾りフレーム３９の底部には、ワープ装置４１によって誘導された遊技球を左右方向や前後方向に転動させた後に、飾りフレーム３９の下方の遊技領域５ａに流下させるためのステージ部４２が設けられている。
【００３１】
遊技領域５ａの下側領域には、常態において遊技球が入賞可能な普通入賞口４４（入賞領域）と、常態において遊技球が入賞可能な第１始動口４５（第１始動入賞領域）と、遊技球が入賞不能な閉状態と入賞可能な開状態とに変換可能な第２始動口４６（第２始動入賞領域、）が設けられている。
【００３２】
普通入賞口４４には、普通入賞口４４に入賞した遊技球を検出するための普通入賞口スイッチ４４ａを備え、普通入賞口４４に入賞した遊技球が普通入賞口スイッチ４４ａで検出されると、所定個数（例えば１０個）の遊技球が賞球として払出装置８５から上皿１８に払い出される。
【００３３】
第１始動口４５には、第１始動口４５に入賞した遊技球を検出するための第１始動口スイッチ４５ａを備え、第１始動口４５に入賞した遊技球が第１始動口スイッチ４５ａで検出されると、所定個数（例えば３個）の遊技球が賞球として払出装置８５から上皿１８に払い出される。また、後述する大当たり抽選（第１特別図柄の変動表示）を実行するための第１権利が付与されるようになっている。
【００３４】
第２始動口４６には、第２始動口４６に入賞した遊技球を検出するための第２始動口スイッチ４６ａと、第２始動口４６を開閉させるための開閉片４７と、後述する当たり判定の結果が当たりとなった場合に開閉片４７を動作させて第２始動口４６を閉状態から開状態に変換するための第２始動口ソレノイド４７ａを備え、第２始動口４６に入賞した遊技球が第２始動口スイッチ４６ａで検出されると、所定個数（例えば１個）の遊技球が賞球として払出装置８５から上皿１８に払い出される。また、後述する大当たり抽選（第２特別図柄の変動表示）を実行するための第２権利が付与されるようになっている。
【００３５】
遊技領域５ａの左下領域には、飾りフレーム３９の左側方を流下してきた遊技球の流下方向を変化させる風車４８が設けられ、風車４８の下方には、飾りフレーム３９の左側方を流下してきた遊技球を普通入賞口４４や第２始動口４６に向けて誘導する左側誘導部４９が設けられている。
【００３６】
遊技領域５ａの右上領域には、外側レール３６に沿って遊技領域５ａの上縁を通ってきた（所謂右打ちされた）遊技球の勢いを減衰させるための緩衝部材５０（ゴム、ウレタン等）が設けられ、緩衝部材５０に衝突した遊技球が飾りフレーム３９の右側方を流下することになる。なお、飾りフレーム３９の右側方を流下してきた遊技球は、遊技釘によって流下方向が規制されるので第１始動口４５に入賞することはない。
【００３７】
遊技領域５ａの右下領域には、常態において遊技球が通過可能な普図ゲート５１（第３始動領域）と、飾りフレーム３９の右側方を流下してきた遊技球を普図ゲート５１に向けて誘導する右上流誘導部５２と、常態において遊技球が入賞可能な普通入賞口４４（入賞領域）と、遊技球が入賞不能な閉状態と遊技球が入賞可能な開状態とに変換される変動入賞装置５３と、普通入賞口４４や変動入賞装置５３に入賞せずに流下してきた遊技球を第２始動口４６に向けて誘導する右下流誘導部５６が設けられている。
【００３８】
普図ゲート５１には、普図ゲート５１を通過した遊技球を検出するためのゲートスイッチ５１ａを備え、普図ゲートを通過した遊技球がゲートスイッチ５１ａで検出されると、後述する当り判定（普通図柄の変動表示）を実行するための第３権利が付与されるようになっている。
【００３９】
変動入賞装置５３には、普通入賞口４４よりも開口幅が広くて遊技球が入賞可能な大入賞口５４（入賞領域）と、大入賞口５４に入賞した遊技球を検出するための大入賞口スイッチ５４ａと、大入賞口５４を開閉させるための開閉部材５５と、後述する大当たり抽選の結果が大当たりとなった場合に開閉部材５５を動作させて大入賞口５４を閉状態から開状態に変換するための大入賞口ソレノイド５５ａを備え、大入賞口５４に入賞した遊技球が大入賞口スイッチ５４ａで検出されると、所定個数（例えば１５個）の遊技球が賞球として払出装置８５から上皿１８に払い出されるようになっている。
【００４０】
遊技領域５ａの最下流部には、普通入賞口４４、第１始動口４５、第２始動口４６及び大入賞口の何れにも入賞せずに流下してきた遊技球を遊技領域５ａから排出させるためのアウト口５７が設けられている。
【００４１】
遊技領域５ａの外側には、ガラス枠７の開口部９及び透明部材１０を介して遊技者が視認可能なように、遊技の進行を把握可能とする情報を表示するための遊技情報表示装置５９が設けられている。
【００４２】
遊技情報表示装置５９には、第１特別図柄表示器６０と、第１特別図柄保留表示器６１と、第２特別図柄表示器６２と、第２特別図柄保留表示器６３と、普通図柄表示器６４と、普通図柄保留表示器６５と、ラウンド数表示器６６と、右打ち表示器６７と、時短遊技状態表示器６８と、高確率遊技状態表示器６９を備えている（図２参照）。
【００４３】
第１特別図柄表示器６０は、例えば複数のＬＥＤから構成され、第１始動口４５への遊技球の入賞により付与される第１権利に基づき大当たり抽選が行われたことに起因して第１特別図柄を変動表示し、変動時間の経過後に大当たり抽選の結果を示す表示態様（ハズレ特別図柄、大当たり特別図柄など）を停止表示するようになっている。
【００４４】
第１特別図柄保留表示器６１は、例えば２個のＬＥＤから構成され、点灯態様（点灯、点滅、消灯）によって大当たり抽選（第１特別図柄の変動表示）が未実行の（保留されている）第１権利の数を第１特図保留数として表示するようになっている。
【００４５】
第２特別図柄表示器６２は、例えば複数のＬＥＤから構成され、第２始動口４６への遊技球の入賞により付与される第２権利に基づき大当たり抽選が行われたことに起因して第２特別図柄を変動表示し、変動時間の経過後に大当たり抽選の結果を示す表示態様（ハズレ特別図柄、大当たり特別図柄など）を停止表示するようになっている。
【００４６】
第２特別図柄保留表示器６３は、例えば２個のＬＥＤから構成され、点灯態様（点灯、点滅、消灯）によって大当たり抽選（第２特別図柄の変動表示）が未実行の（保留されている）第２権利の数を第２特図保留数として表示するようになっている。
【００４７】
普通図柄表示器６４は、例えば２個のＬＥＤから構成され、普図ゲート５１への遊技球の通過により付与される第３権利に基づき当たり抽選が行われたことに起因して普通図柄を変動表示し、変動時間の経過後に当たり抽選の結果を示す表示態様（ハズレ表示態様、当たり表示態様等）を停止表示するようになっている。
【００４８】
普通図柄保留表示器６５は、例えば２個のＬＥＤから構成され、点灯態様（点灯、点滅、消灯）によって当たり抽選（普通図柄の変動表示）が未実行の（保留されている）第３権利の数を普図保留数として表示するようになっている。
【００４９】
ラウンド数表示器６６は、大当たり抽選の結果が大当たりであって第１特別図柄表示器６０又は第２特別図柄表示器６２に大当たり特別図柄が表示されたことにより、所定数のラウンドに亘って変動入賞装置５３を閉状態から開状態に変換する大当たり遊技（特別遊技）が実行される場合のラウンド数を表示するようになっている。
【００５０】
右打ち表示器６７は、大当たり遊技の実行中や後述する時短遊技状態（普電サポート状態）等の遊技領域５ａの右側領域を狙って遊技球を発射させる右打ちを行う必要がある場合に、右打ちを促す右打ち情報を表示するようになっている。
【００５１】
時短遊技状態表示器６８は、後述する時短遊技状態中に時短遊技状態であることを示す時短情報を表示するようになっている。高確率遊技状態表示器６９は、後述する確変遊技状態中に確変遊技状態であることを示す高確情報を表示するようになっている。
【００５２】
演出空間４０の奥部には、液晶表示器からなる第１画像表示装置７１（メイン液晶）が設けられ、ステージ部４２と第１画像表示装置７１との間には、第１画像表示装置７１よりも小さい液晶表示器からなる第２画像表示装置７２（メイン液晶）が第１画像表示装置７１の前方で移動（動作）可能なように設けられる。なお、第１画像表示装置７１や第２画像表示装置７２を透過型液晶表示器としてもよいし、ドットマトリクス表示器やＥＬ表示器等にしてもよい。
【００５３】
第１画像表示装置７１（メイン液晶）及び第２画像表示装置では、第１特別図柄や第２特別図柄の変動表示及び停止表示に連動して３列の演出図柄（左図柄Ｚ１、中図柄Ｚ２、右図柄Ｚ３）を変動表示及び停止表示させると共に、大当たり特別図柄（大当たり演出図柄）が表示される可能性があることを予告する予告画像（キャラクタ画像、情報画像、背景画像）等を表示させる変動表示演出が実行されるようになっている。
【００５４】
なお、演出図柄は、数字（０〜９等）やアルファベット（Ａ〜Ｆ等）やキャラクタ等の少なくとも１つを含む複数種類があり、他の種類の演出図柄とは区別（識別）可能なようになっているため、識別情報と言い換えることもできる。
【００５５】
演出図柄の変動表示は、演出図柄を縦方向や横方向にスクロールさせたり、その場で自転させたりしながら有効ライン上に表示される演出図柄の種類を変化させることで行われる。演出図柄の停止表示は、有効ライン上に大当たり抽選の結果を示す表示態様（ハズレ演出図柄、大当たり演出図柄）を所定時間停止表示させることで行われる。
【００５６】
大当たり演出図柄の表示態様は、「７７７」等の同一の演出図柄の組み合せや、「７５３」等の所定の規則性を持った演出図柄の組み合せによって構成され、ハズレ演出図柄は、大当たり演出図柄とは異なる演出図柄の組み合せによって構成されている。
【００５７】
また、第１画像表示装置７１には、大当たり抽選（第１特別図柄の変動表示）が未実行の（保留されている）第１権利に対応する保留アイコンを表示させる第１アイコン表示領域７１ａや、大当たり抽選（第２特別図柄の変動表示）が未実行の（保留されている）第２権利に対応する保留アイコンを表示させる第２アイコン表示領域７１ｂや、特別図柄の変動表示を実行している第１権利又は第２権利に対応する実行アイコンを表示させる実行アイコン表示領域７１ｃが設けられている。
【００５８】
なお、第１アイコン表示領域７１ａ、第２アイコン表示領域７１ｂ、実行アイコン表示領域７１ｃの少なくとも１つを第２画像表示装置７２に設けてもよいし、第１アイコン表示領域７１ａ、第２アイコン表示領域７１ｂ、実行アイコン表示領域７１ｃの少なくとも１つを第１画像表示装置７１と第２画像表示装置７２とに跨るように設けてもよい。
【００５９】
第２画像表示装置７２は、第１画像表示装置７１の下端部の前方に臨む通常位置と、第１画像表示装置７１の中央寄りの前方に臨む演出位置との間で移動可能となっていると共に、横向き姿勢から縦向き姿勢に変位可能となっており、変動表示演出の実行中に移動したり変位したりすることで動作演出を行うようになっている。
【００６０】
演出空間の右側部には、第１特別図柄や第２特別図柄の変動表示に連動して表示態様が変化する変動表示ＬＥＤ７３が設けられ、演出空間の上部には、変動表示演出の実行中において可動部材７５に所定の演出動作を行わせる可動演出装置７４や、発光部材７７に所定の発光演出を行わせる発光演出装置７６等が設けられている。
【００６１】
遊技盤５の裏面側には、遊技領域５ａに対して所定の閾値を超える磁気が近づいたことを検出するための磁気センサ８０ａと、遊技盤５に対して所定の周波数の電波が照射されたことを検出するための電波センサ８１ａと、遊技の進行を統括的に制御するメイン制御装置１００と、メイン制御装置１００からの払出数コマンド（指令情報）に基づいて遊技球の払出や発射を制御する払出制御装置２００と、メイン制御装置１００からの演出コマンド（指令情報）に基づいて遊技の演出を制御するサブ制御装置３００が設けられている。
【００６２】
［遊技機の制御構成］
次に、本実施形態に係る遊技機１の制御ブロック図である図２を参照しながら、遊技機１の制御構成について説明する。
【００６３】
メイン制御装置１００は、メインＣＰＵ、メインＲＯＭ及びメインＲＡＭを内蔵したメインワンチップマイコンや入出力インターフェース回路（Ｉ／Ｏ）等を備えており、メインＣＰＵがメインＲＯＭに格納された遊技制御プログラムに従ってメインＲＡＭをワークエリアとして使用しながら遊技の進行を統括的に制御するように構成されている。
【００６４】
入力インターフェースには、枠開放検出スイッチ７ａ、普通入賞口スイッチ４４ａ、第１始動口スイッチ４５ａ、第２始動口スイッチ４６ａ、ゲートスイッチ５１ａ、大入賞口スイッチ５４ａ、磁気センサ８０ａ、電波センサ８１ａ、ＲＡＭクリアスイッチ８２ａ、払出制御装置２００等が接続されており、各種スイッチからの入力信号や、払出制御装置２００からのコマンドが入力される。
【００６５】
出力インターフェースには、第２始動口ソレノイド４７ａ、大入賞口ソレノイド５５ａ、遊技情報表示装置５９、発生したエラーの種類を示すコードを表示するエラー表示装置８３、外部出力端子板８６、払出制御装置２００、サブ制御装置３００等が接続されており、各種ソレノイドへの駆動信号や各種表示装置（遊技情報表示装置５９、エラー表示装置８３）への表示信号や、外部出力端子板８６への遊技情報信号や、各種制御装置へのコマンドが出力される。
【００６６】
なお、メインＲＡＭには、電源装置からのバックアップ電源が供給されることで、停電時においても記憶情報を保持することが可能となっており、停電復旧時には保持された記憶情報に基づいて遊技の制御状態が停電前の状態に復帰するようになっている。
【００６７】
払出制御装置２００は、払出ＣＰＵ、払出ＲＯＭ及び払出ＲＡＭを内蔵した払出ワンチップマイコンや入出力インターフェース回路（Ｉ／Ｏ）等を備えており、払出ＣＰＵが払出ＲＯＭに格納された払出制御プログラムに従って払出ＲＡＭをワークエリアとして使用しながら遊技球の払出や発射を制御するように構成されている。
【００６８】
入力インターフェースには、払出装置８５（払出球検出スイッチ等）、発射ハンドル３１（タッチセンサ３３ａ、発射停止スイッチ３４等）、メイン制御装置１００等が接続されており、払出装置８５（払出球検出スイッチ等）や発射ハンドル３１（タッチセンサ３３ａ、発射停止スイッチ３４等）からの入力信号やメイン制御装置１００からの払出数コマンドが入力される。
【００６９】
出力インターフェースには、払出装置８５（払出モータ等）、発射装置３０（発射ソレノイド等）、メイン制御装置１００等が接続されており、払出装置８５（払出モータ等）や発射装置３０（発射ソレノイド等）への駆動信号や、メイン制御装置１００へのコマンドが出力される。
【００７０】
なお、払出ＲＡＭには、電源装置からのバックアップ電源が供給されないが、バックアップ電源が供給されるようにすることで、停電時においても記憶情報を保持可能とし、停電復旧時には保持された記憶情報に基づいて払出の制御状態が停電前の状態に復帰するようにしてもよい。
【００７１】
サブ制御装置３００は、サブＣＰＵ、サブＲＯＭ、サブＲＡＭ、入出力インターフェース回路（Ｉ／Ｏ）、ＶＤＰ（Ｖｉｄｅｏ  Ｄｉｓｐｌａｙ  Ｐｒｏｃｅｓｓｏｒ）、ＣＧＲＯＭ、音ＲＯＭ等を備えており、サブＣＰＵがサブＲＯＭに格納された演出制御プログラムに従ってサブＲＡＭをワークエリアとして使用しながらメイン制御装置１００からの演出コマンドに対応する演出の実行を制御するように構成されている。また、ＶＤＰがサブＣＰＵからの指令に基づいてＣＧＲＯＭに記憶された画像データの表示制御を行うと共に、音ＲＯＭに記憶された音データの出力制御を行うように構成されている。
【００７２】
入力インターフェースには、選択ボタンスイッチ２４ａ、演出ボタンスイッチ２６ａ、可動演出装置７４に設けられる位置検出スイッチ、メイン制御装置１００等が接続されており、各種スイッチからの入力信号や、メイン制御装置１００からの演出コマンドが入力される。
【００７３】
出力インターフェースには、枠発光部１３、回転発光部１４、選択ボタンＬＥＤ２４ｂ、演出ボタンＬＥＤ、演出ボタン駆動モータ２６ｃ、第１画像表示装置７１、第２画像表示装置７２、可動演出装置７４、発光演出装置７６、等が接続されており、各種ＬＥＤへの表示信号や各種モータへの駆動信号が出力される。
【００７４】
なお、メイン制御装置１００と払出制御装置２００との間のコマンド通信は、双方向通信となっているが、メイン制御装置１００とサブ制御装置３００との間のコマンド通信は、メイン制御装置１００からサブ制御装置３００への単方向通信となっている。
【００７５】
［遊技の進行形態］
次に、本実施形態に係る遊技機１のゲームフローである図３を参照しながら、遊技の進行形態について説明する。
【００７６】
まず、遊技機１の初期の遊技状態は、大当たり抽選で大当たりと判定される大当たり確率が通常確率（１／３００）であって、当たり抽選で当たりと判定される当たり確率が低確率（１／３０）である通常遊技状態（低確率非時短遊技状態）となっており、第１画像表示装置７１及び第２画像表示装置７２で実行される変動表示演出の演出態様を規定する演出モードは、演出モードＡ〜Ｄの何れかが設定される。
【００７７】
通常遊技状態では、第１始動口４５又は第２始動口４６への遊技球の入賞に基づき大当たり抽選が行われ、該抽選の結果を報知する特別図柄の変動表示（変動表示演出）の結果として大当たり特別図柄（大当たり演出図柄）が表示されると、変動入賞装置５３（大入賞口５４）を所定の態様で閉状態から開状態に変換するラウンド遊技を所定回数行う大当たり遊技（遊技者に有利な特別遊技）が実行される。
【００７８】
大当たり遊技には、２ラウンド通常短当たり遊技１〜４と、２ラウンド確変短当たり遊技と、８ラウンド確変長当たり遊技と、１０ラウンド確変長当たり遊技と、１５ラウンド確変長当たり遊技の遊技者に有利な度合いが異なる８種類が設定されており、大当たり遊技中は、通常遊技状態となる。
【００７９】
２ラウンド通常短当たり遊技１は、第１始動口４５への遊技球の入賞に基づく第１大当たり抽選で大当たりと判定された場合の２０％で発生し、変動入賞装置５３（大入賞口５４）を０．５秒に亘って開状態に変換（短開放）するラウンド遊技が２回行われる。
【００８０】
２ラウンド通常短当たり遊技２は、第２始動口４６への遊技球の入賞に基づく第２大当たり抽選で大当たりと判定された場合の１０％で発生し、変動入賞装置５３（大入賞口５４）を０．５秒に亘って開状態に変換（短開放）するラウンド遊技が２回行われる。
【００８１】
２ラウンド通常短当たり遊技３は、第２大当たり抽選で大当たりと判定された場合の６％で発生し、変動入賞装置５３（大入賞口５４）を０．５秒に亘って開状態に変換（短開放）するラウンド遊技が２回行われる。
【００８２】
２ラウンド通常短当たり遊技４は、第２大当たり抽選で大当たりと判定された場合の４％で発生し、変動入賞装置５３（大入賞口５４）を０．５秒に亘って開状態に変換（短開放）するラウンド遊技が２回行われる。
【００８３】
２ラウンド確変短当たり遊技は、第１大当たり抽選で大当たりと判定された場合の１０％、及び、第２大当たり抽選で大当たりと判定された場合の１０％で発生し、変動入賞装置５３（大入賞口５４）を０．５秒に亘って開状態に変換（短開放）するラウンド遊技が２回行われる。
【００８４】
なお、２ラウンド通常短当たり遊技１と２ラウンド確変短当たり遊技とは、大当たり遊技中の演出が同一態様（類似態様）となっており、何れの大当たり遊技が実行されているのか区別困難となっている。
【００８５】
８ラウンド確変長当たり遊技は、第１大当たり抽選で大当たりと判定された場合の２０％で発生し、変動入賞装置５３（大入賞口５４）を２８秒間に亘って開状態に変換（長開放）するラウンド遊技が８回行われる。
【００８６】
１０ラウンド確変長当たり遊技は、第１大当たり抽選で大当たりと判定された場合の５０％、及び、第２大当たり抽選で大当たりと判定された場合の２０％で発生し、変動入賞装置５３（大入賞口５４）を２８秒間に亘って開状態に変換（長開放）するラウンド遊技が１０回行われる。
【００８７】
１５ラウンド確変長当たり遊技は、第２大当たり抽選で大当たりと判定された場合の５０％で発生し、変動入賞装置５３（大入賞口５４）を２８秒間に亘って開放状態に変換（長開放）するラウンド遊技が１５回行われる。
【００８８】
２ラウンド通常短当たり遊技１が終了すると、通常遊技状態に移行し、演出モードは、演出モードＤに設定される。
【００８９】
２ラウンド確変短当たり遊技が終了すると、大当たり確率が高確率（１／６０）であって、当たり確率が低確率（１／３０）である第１確変遊技状態（高確率非時短遊技状態）に移行し、演出モードは、演出モードＤ又はＥが実行された特別図柄の変動表示（変動表示演出）の回数に応じて設定される。
【００９０】
そのため、２ラウンド通常短当たり遊技１が終了した後の３０回転と２ラウンド確変短当たり遊技が終了した後の３０回転の演出モードが同一となるため、遊技者は現在の遊技状態が通常遊技状態なのか第１確変遊技状態なのかを把握するのが難しくなり、演出モードＤが設定されている場合には、第１確変遊技状態への期待感を持つことになる。
【００９１】
８ラウンド確変長当たり遊技、１０ラウンド確変長当たり遊技、１５ラウンド確変長当たり遊技が終了すると、大当たり確率が高確率（１／６０）であって、当たり確率が高確率（２９／３０）である第２確変遊技状態（高確率時短遊技状態）に移行し、演出モードは、演出モードＦ〜Ｇを遊技者が選択できるようになる。
【００９２】
２ラウンド通常短当たり遊技２〜４が終了すると、大当たり確率が低確率（１／３００）であって、当たり確率が高確率（２９／３０）である時短遊技状態（低確率時短遊技状態）に所定期間（２ラウンド通常短当たり遊技２の終了後は３０回転、２ラウンド通常短当たり遊技３の終了後は５０回転、２ラウンド通常短当たり遊技４の終了後は１００回転）に亘って移行し、演出モードは、演出モードＨ〜Ｊが特別図柄の変動表示（変動表示演出）の回数に応じて設定される。
【００９３】
第１確変遊技状態、第２確変遊技状態、時短遊技状態では、通常遊技状態と同様に、第１始動口４５又は第２始動口への遊技球の入賞に基づき大当たり抽選が行われ、該抽選の結果を報知する特別図柄の変動表示（変動表示演出）の結果として大当たり特別図柄（大当たり演出図柄）が表示されると、何れかの種類の大当たり遊技が実行される。
【００９４】
また、時短遊技状態では、当該時短遊技状態を発生させた大当たり遊技の種類に応じて設定される時短回数（３０回、５０回、１００回の何れか）の特別図柄の変動表示が実行されると、通常遊技状態に移行する。
【００９５】
通常遊技状態及び第１確変遊技状態では、当たり抽選の結果に基づいて実行される普通図柄の変動表示の変動時間として比較的長い時間（例えば３０秒）が選択され易く、変動表示の結果として当たり態様が表示されると、第２始動口４６が０．２秒開放する第１当たり遊技が８０％の割合で実行され、第２始動口４６が０．２秒開放した後に再び４．０秒開放する第２当たり遊技が２０％の割合で実行される。
【００９６】
第２確変遊技状態及び時短遊技状態では、当たり抽選の結果に基づいて実行される普通図柄の変動表示の変動時間として比較的短い時間（例えば２秒）が選択され易く、変動表示の結果として当たり態様が表示されると、第２始動口４６が２．５秒開放した後に再び２．５秒開放する第３当たり遊技が１００％の割合で実行される。
【００９７】
このように、第１大当たり抽選が行われた場合よりも、第２大当たり抽選が行われた場合の方が、実行される大当たり遊技や大当たり遊技終了後の遊技状態等が遊技者に有利になるように設定されており、遊技者は第２大当たり抽選が行われることに対する期待感を持つようになる。
【００９８】
なお、通常遊技状態及び第１確変遊技状態においては、遊技領域５ａの左側領域に遊技球を発射する遊技を行い、第２確変遊技状態及び時短遊技状態においては、遊技領域５ａの右側領域に遊技球を発射する遊技を行うようになっている。
【００９９】
［メイン制御装置の機能構成］
次に、本実施形態に係るメイン制御装置１００の機能ブロック図である図４を参照しながら、メイン制御装置１００の機能構成を説明する。
【０１００】
メイン制御装置１００は、遊技の進行を制御する遊技制御手段１１０を備え、遊技制御手段１１０には、特図判定情報（乱数）取得手段１１１と、特図判定情報（保留）記憶手段１１２と、大当たり（特別遊技）判定手段１１３と、大当たり図柄判定手段１１４と、特図変動パターン判定手段１１５と、特図変動表示実行手段１１６と、大当たり遊技（特別遊技）実行手段１１７と、事前判定手段１１８と、遊技状態制御手段１１９と、普図判定情報（乱数）取得手段１２０と、普図判定情報（保留）記憶手段１２１と、当たり（補助遊技）判定手段１２２と、当たり図柄判定手段１２３と、普図変動パターン判定手段１２４と、普図変動表示実行手段１２５と、当たり遊技（補助遊技）実行手段１２６と、各種テーブル記憶手段１２７と、エラー判定手段１２８と、賞球払出制御手段１２９と、コマンド送信手段１３０と、コマンド受信手段１３１と、情報更新手段１３２と、情報出力手段１３３を備えている。
【０１０１】
特図判定情報（乱数）取得手段１１１は、第１始動口４５や第２始動口４６への遊技球の入賞に基づいて、大当たり抽選に用いる特図判定情報（大当たり判定乱数、大当たり図柄判定乱数、特図変動パターン判定乱数）を取得する。
【０１０２】
特図判定情報（保留）記憶手段１１２は、第１始動口４５への遊技球の入賞に基づき特図判定情報（乱数）取得手段１１１が取得した特図判定情報をメインＲＡＭの第１保留記憶領域に所定数（例えば４個）を限度に第１特図保留として記憶（第１権利の付与に相当）し、第２始動口４６への遊技球の入賞に基づき特図判定情報（乱数）取得手段１１１が取得した特図判定情報をメインＲＡＭの第２保留記憶領域に所定数（例えば４個）を限度に第２特図保留として記憶（第２権利の付与に相当）し、第１特図保留の数及び第２特図保留の数を示す特図保留数コマンドをサブ制御装置３００に送信すべくメインＲＡＭの送信コマンド領域にセットする。
【０１０３】
大当たり（特別遊技）判定手段１１３は、第１特図保留よりも第２特図保留の方が優先して消化されるように、最も早く記憶された最先（最古）の第１特図保留又は第２特図保留をメインＲＡＭの特図実行記憶領域に移動し、第１特図保留及び第２特図保留の残数を示す保留数コマンドをサブ制御装置３００に送信すべくメインＲＡＭの送信コマンド領域にセットする。また、特図実行記憶領域に移動した特図判定情報である大当たり判定乱数を大当たり判定テーブル（図１１参照）に照合して、大当たりであるか（大当たり遊技を実行するか）否かを判定する。
【０１０４】
大当たり図柄判定手段１１４は、大当たり（特別遊技）判定手段１１３による判定結果と特図実行記憶領域に移動された特図判定情報の大当たり図柄判定乱数を特図停止図柄判定テーブル（図１１参照）に照合して、第１特別図柄表示器６０又は第２特別図柄表示器６２に停止表示させる特別図柄の種類を判定し、判定結果に対応する特図停止図柄コマンドをサブ制御装置３００に送信すべくメインＲＡＭの送信コマンド領域にセットする。なお、停止表示される特別図柄の種類に応じて大当たり遊技の種類が決定されるため、大当たり遊技の種類を決定していると言える。
【０１０５】
特図変動パターン判定手段１１５は、大当たり図柄判定手段１１４による判定結果と特図実行記憶領域に移動された特図判定情報の特図変動パターン判定乱数を特図変動パターン判定テーブル（図１２参照）に照合して、特別図柄を変動表示する特図変動パターン（変動時間）を判定し、判定結果に対応する特図変動パターンコマンドをサブ制御装置３００に送信すべくメインＲＡＭの送信コマンド領域にセットする。
【０１０６】
なお、本実施形態では、大当たり（特別遊技）判定手段１１３による判定、大当たり図柄判定手段１１４による判定及び特図変動パターン判定手段１１５による判定を大当たり抽選としているが、大当たり（特別遊技）判定手段１１３による判定を大当たり抽選としてもよいし、大当たり（特別遊技）判定手段１１３による判定と、大当たり図柄判定手段１１４による判定とを大当たり抽選としてもよい。
【０１０７】
特図変動表示実行手段１１６は、大当たり抽選の結果に基づいて第１特別図柄表示器６０又は第２特別図柄表示器６２で特別図柄の変動表示及び停止表示を行うと共に、特別図柄の停止表示を示す特図確定コマンドをサブ制御装置３００に送信すべくメインＲＡＭの送信コマンド領域にセットする。
【０１０８】
大当たり遊技（特別遊技）実行手段１１７は、第１特別図柄表示器６０又は第２特別図柄表示器６２に大当たり特別図柄が停止表示されたことに基づいて、所定数のラウンドに亘って所定の開閉態様で変動入賞装置５３（大入賞口５４）を閉状態から開状態に変換する大当たり遊技を実行すると共に、大当たり遊技の開始を示すオープニングコマンド、ラウンド遊技の開始とラウンド数を示すラウンド数コマンド、ラウンド遊技間のインターバルの開始を示すインターバルコマンド、大当たり遊技の終了を示すエンディングコマンドをサブ制御装置３００に送信すべくメインＲＡＭの送信コマンド領域にセットする。
【０１０９】
事前判定手段１１８は、特図判定情報（乱数）取得手段１１１が取得した特図判定情報（大当たり判定乱数、大当たり図柄判定乱数、特図変動パターン判定乱数）を大当たり（特別遊技）判定手段１１３、大当たり図柄判定手段１１４、特図変動パターン判定手段よりも事前に判定し、判定結果に対応する事前判定コマンドをサブ制御装置３００に送信すべくメインＲＡＭの送信コマンド領域にセットする。
【０１１０】
遊技状態制御手段１１９は、大当たり遊技の終了後に大当たり遊技の種類に応じて第１確変遊技状態、第２確変遊技状態、時短遊技状態の何れかの遊技状態に移行させると共に、時短遊技状態で所定回数（３０回、５０回、１００回の何れか）の特別図柄の変動表示が実行されると通常遊技状態に移行させ、移行させた遊技状態に対応する遊技状態コマンドをサブ制御装置３００に送信すべくメインＲＡＭの送信コマンド領域にセットする。
【０１１１】
普図判定情報（乱数）取得手段１２０は、普図ゲート５１への遊技球の通過に基づいて、当たり抽選に用いる普図判定情報（当たり判定乱数、当たり図柄判定乱数、普図変動パターン判定乱数）を取得する。
【０１１２】
普図判定情報（保留）記憶手段１２１は、普図判定情報（乱数）取得手段１２０が取得した普図判定情報をメインＲＡＭの普図保留記憶領域に所定数（例えば４個）を限度に普図保留として記憶（第３権利の付与に相当）し、普図保留の数を示す普図保留数コマンドをサブ制御装置３００に送信すべくメインＲＡＭの送信コマンド領域にセットする。
【０１１３】
当たり（補助遊技）判定手段１２２は、最も早く記憶された最先（最古）の普図保留（普図判定情報）をメインＲＡＭの普図実行記憶領域に移動し、普図実行記憶領域に移動した普図判定情報である当たり判定乱数を当たり判定テーブル（図示省略）に照合して、当たりであるか（当たり遊技を実行するか）否かを判定する。
【０１１４】
当たり図柄判定手段１２３は、当たり（補助遊技）判定手段１２２による判定結果と普図実行記憶領域に移動された普図判定情報である当たり図柄判定乱数を普図停止図柄判定テーブル（図示省略）に照合して、普通図柄表示器６４に停止表示させる普通図柄の種類を判定し、判定結果に対応する普図停止図柄コマンドをサブ制御装置３００に送信すべくメインＲＡＭの送信コマンド領域にセットする。なお、停止表示される普通図柄の種類に応じて当たり遊技の種類が決定されるため、当たり遊技の種類を決定していると言える。
【０１１５】
普図変動パターン判定手段１２４は、当たり図柄判定手段１２３による判定結果と普図実行記憶領域に移動された普図判定情報である普図変動パターン判定乱数を普図変動パターン判定テーブル（図示省略）に照合して、普通図柄を変動表示する普図変動パターン（変動時間）を判定し、判定結果に対応する普図変動パターンコマンドをサブ制御装置３００に送信すべくメインＲＡＭの送信コマンド領域にセットする。
【０１１６】
なお、本実施形態では、当たり（補助遊技）判定手段１２２による判定、当たり図柄判定手段１２３による判定及び普図変動パターン判定手段１２４による判定を当たり抽選としているが、当たり（補助遊技）判定手段１２２による判定を当たり抽選としてもよいし、当たり（補助遊技）判定手段１２２による判定と、当たり図柄判定手段１２３による判定とを当たり抽選としてもよい。
【０１１７】
普図変動表示実行手段１２５は、当たり抽選の結果に基づいて普通図柄表示器６４で普通図柄の変動表示及び停止表示を行うと共に、普通図柄の停止表示を示す普図確定コマンドをサブ制御装置３００に送信すべくメインＲＡＭの送信コマンド領域にセットする。
【０１１８】
当たり遊技（補助遊技）実行手段１２６は、普通図柄表示器６４に当たり図柄が停止表示されたことに基づいて、所定の開閉態様で第２始動口４６を閉状態から開状態に変換する当たり遊技を実行すると共に、当たり遊技の開始を示すオープニングコマンド、当たり遊技の終了を示すエンディングコマンドをサブ制御装置３００に送信すべくメインＲＡＭの送信コマンド領域にセットする。
【０１１９】
各種テーブル記憶手段１２７は、大当たり判定テーブル、特図停止図柄判定テーブル、特図変動パターン判定テーブル、当たり判定テーブル、普図停止図柄判定テーブル、普図変動パターン判定テーブル等の各種テーブルを記憶する。
【０１２０】
エラー判定手段１２８は、枠開放検出スイッチ７ａ、第２始動口スイッチ４６ａ、ゲートスイッチ５１ａ、大入賞口スイッチ５４ａ、磁気センサ８０ａ、電波センサ８１ａからの入力信号に基づいて、所定のエラー（枠開放エラー、異常入賞エラー、磁気エラー、電波エラー、右打ちエラー等）が発生したか否かを判定し、発生したエラーに対応するエラー発生コマンドをサブ制御装置３００に送信すべくメインＲＡＭの送信コマンド領域にセットする。また、エラーが解消したか否かを判定し、解消したエラーに対応するエラー解消コマンドをサブ制御装置３００に送信すべくメインＲＡＭの送信コマンド領域にセットする。
【０１２１】
賞球払出制御手段１２９は、普通入賞口スイッチ４４ａ、第１始動口スイッチ４５ａ、第２始動口スイッチ４６ａ、大入賞口スイッチ５４ａからの入力信号に基づいて、賞球の払出を実行するか否かを判定し、賞球の払出を実行する場合には払出数を示す払出数コマンドを払出制御装置２００に送信すべくメインＲＡＭの送信コマンド領域にセットする。
【０１２２】
コマンド送信手段１３０は、メインＲＡＭの送信コマンド領域にセットされているコマンドを払出制御装置２００又はサブ制御装置３００に送信する。
【０１２３】
コマンド受信手段１３１は、払出制御装置２００から送信されてくるコマンドをメインＲＡＭの受信コマンド領域にセットする。
【０１２４】
情報更新手段１３２は、普通入賞口４４に入賞した遊技球数を示す普通入賞口入賞数、通常遊技状態において第２始動口４６に入賞した遊技球数を示す通常中第２始動口入賞数、１回のラウンド遊技において大入賞口５４に入賞した遊技球数を示す大入賞口入賞数、普図ゲート５１を通過した遊技球数を示すゲート通過数、通常遊技状態において発生した当たり遊技の回数である通常中普図当たり回数、普電サポート状態（時短遊技状態）において発生した当たり回数である時短中普図当たり回数、確変遊技状態及び時短遊技状態の継続中に連続して発生した大当たり遊技の回数である連荘回数（連続大当たり回数）、確変遊技状態に移行した回数である確変移行回数、時短遊技状態に移行した回数である時短移行回数等を更新する。
【０１２５】
情報出力手段１３３は、遊技の進行に応じて発生する遊技情報（エラー情報、払出情報、大当たり情報、遊技状態情報、入賞情報）や、情報更新手段１３２によって更新された遊技情報等を外部出力端子板８６の出力端子を介して遊技機の外部（ホールコンピュータ、呼出ランプ、台コンピュータ、球貸機等）に出力する。
【０１２６】
［サブ制御装置の機能構成］
次に、本実施形態に係るサブ制御装置３００の機能ブロック図である図５を参照しながら、サブ制御装置３００の機能構成を説明する。
【０１２７】
サブ制御装置３００は、演出の進行を制御する演出制御手段３１０を備え、演出制御手段３１０には、コマンド受信手段３１１、客待ち制御手段３１２、演出モード制御手段３１３、変動表示演出制御手段３１４（アイコン表示手段３１５、先読み演出決定手段３１６、先読み演出実行手段３１７、演出図柄決定手段３１８、変動表示演出パターン決定手段３１９、予告演出決定手段３２０、操作演出決定手段３２１、変動表示演出実行手段３２２（演出図柄変動表示手段３２３、第４図柄変動表示手段３２４、背景表示手段３２５、予告演出実行手段３２６、操作演出実行手段３２７））、大当たり演出制御手段３２８（大当たり演出決定手段３２９、大当たり演出実行手段３３０）を備えている。
【０１２８】
コマンド受信手段３１１は、メイン制御装置１００から送信されてくるコマンドをサブＲＡＭの受信コマンド領域にセットする。
【０１２９】
客待ち制御手段３１２は、変動表示演出及び大当たり演出が行われていない状態で所定時間（例えば６０秒）が経過したか否かを判定し、所定時間が経過した場合に遊技を促進するための客待ち演出を各種演出装置（スピーカー１２、枠発光部１３、回転発光部１４、枠表示器１５、選択ボタン装置２３、演出ボタン装置２５、第１画像表示装置、第２画像表示装置、変動表示ＬＥＤ、可動演出装置７４、発光演出装置７６等）で実行する。
【０１３０】
演出モード制御手段３１３は、遊技状態が変化した場合や演出モードの変更抽選に当選した場合に、設定されている演出モードを他の演出モードに変更する。
【０１３１】
変動表示演出制御手段３１４は、サブＲＡＭの受信コマンド領域にセットされている特図停止図柄コマンド及び特図変動パターンコマンドに基づいて、大当たり抽選の結果を報知（特別図柄の変動表示を演出）するための変動表示演出を各種演出装置で実行するための制御を行う。
【０１３２】
アイコン表示手段３１５は、サブＲＡＭの受信コマンド領域にセットされている特図保留数コマンドに基づいて、第１特図保留及び第２特図保留に対応する保留アイコンを第１画像表示装置７１の第１アイコン表示領域７１ａ及び第２アイコン表示領域７２ａに表示させると共に、現在実行中の変動表示演出に対応する実行アイコンを第１画像表示装置７１の実行アイコン表示領域７１ｃに表示させる。
【０１３３】
先読み演出決定手段３１６は、サブＲＡＭの受信コマンド領域にセットされている事前判定コマンドに基づいて、１又は複数の変動表示演出に亘って大当たり遊技が実行される可能性があることや所定のリーチ演出が実行されることを予告する先読み演出（変動表示演出毎に所定の演出を実行する先読み連続予告演出、通常表示態様の保留アイコンや実行アイコンを特別表示態様に変化させる先読みアイコン変化演出、第１画像表示装置７１及び／又は第２画像表示装置７２に表示される通常背景画像を特別背景画像に変化させる先読みゾーン演出等）の実行の有無や実行する先読み演出の種類を決定する。
【０１３４】
先読み演出実行手段３１７は、先読み演出決定手段３１６が決定した種類の先読み演出を各種演出装置（スピーカー１２、枠発光部１３、回転発光部１４、枠表示器１５、選択ボタン装置２３、演出ボタン装置２５、第１画像表示装置、第２画像表示装置、変動表示ＬＥＤ、可動演出装置７４、発光演出装置７６等）で実行する。
【０１３５】
演出図柄決定手段３１８は、サブＲＡＭの受信コマンド領域にセットされている特図停止図柄コマンドにより特定される特別図柄の種類及び／又は特図変動パターンコマンドにより特定される特図変動パターンと演出図柄判定乱数とを演出図柄判定テーブルに照合して、変動表示演出の結果として停止表示される演出図柄（左図柄Ｚ１、中図柄Ｚ２、右図柄Ｚ３）の種類を決定する。
【０１３６】
変動表示演出パターン決定手段３１９は、サブＲＡＭの受信コマンド領域にセットされている特図停止図柄コマンドにより特定される特別図柄の種類と特図変動パターンコマンドにより特定される特図変動パターンと変動表示演出パターン判定乱数を変動表示演出パターン判定テーブル（図示省略）に照合して、変動表示演出の変動表示演出パターンを決定する。
【０１３７】
予告演出決定手段３２０は、変動表示演出パターン決定手段３１９が決定した変動表示演出パターンと予告演出判定乱数とを予告演出判定テーブル（図示省略）に照合して、変動表示演出の一環として大当たり遊技が実行される可能性があることや所定のリーチ演出が実行されることや大当たり遊技が実行されることを予告する予告演出の実行の有無や実行する予告演出の種類を決定する。
【０１３８】
操作演出決定手段３２１は、変動表示演出パターン決定手段３１９が決定した変動表示演出パターンと操作演出判定乱数とを操作演出判定テーブル（図示省略）に照合して、変動表示演出の一環として選択ボタン２４や演出ボタン２６の操作に基づき大当たり遊技が実行される可能性があることや所定のリーチ演出が実行されることや大当たり遊技が実行されることを予告する操作演出の実行の有無や実行する操作演出の種類を決定する。
【０１３９】
変動表示演出実行手段３２２は、演出図柄決定手段３１８の決定結果や変動表示演出パターン決定手段３１９の決定結果等に基づいて、大当たり抽選の結果を報知（特別図柄の変動表示を演出）するための変動表示演出を各種演出装置で実行する。
【０１４０】
演出図柄変動表示手段３２３は、第１画像表示装置７１や第２画像表示装置７２で演出図柄を縦方向や横方向にスクロールさせたり、その場で自転させたりしながら有効ライン上に表示される演出図柄の種類を変化させることで演出図柄の変動表示を実行する。
【０１４１】
第４図柄変動表示手段３２４は、特別図柄の変動表示の実行期間に亘って変動表示ＬＥＤ７３の発光態様を変化させ、特別図柄の変動表示の終了に伴って変動表示ＬＥＤ７３の発光態様の変化を停止することで、所謂第４図柄の変動表示を実行する。
【０１４２】
背景表示手段３２５は、先読み演出決定手段３１６の決定結果や変動表示演出パターン決定手段３１９の決定結果に基づいて、変動表示演出の背景となる背景画像を第１画像表示装置７１や第２画像表示装置７２に表示させる。
【０１４３】
予告演出実行手段３２６は、予告演出決定手段３２０の決定結果に基づいて、変動表示演出の一環として大当たり遊技が実行される可能性があることや所定のリーチ演出が実行されることや大当たり遊技が実行されることを予告する予告演出を各種演出装置で実行する。
【０１４４】
操作演出実行手段３２７は、操作演出決定手段３２１の決定結果に基づいて、変動表示演出の一環として有効期間中の選択ボタン２４や演出ボタン２６の操作に基づき大当たり遊技が実行される可能性があることや所定のリーチ演出が実行されることや大当たり遊技が実行されることを予告する操作演出を各種演出装置で実行する。
【０１４５】
大当たり演出制御手段３２８は、サブＲＡＭの受信コマンド領域にセットされているオープニングコマンド、ラウンド数コマンド、インターバルコマンド、エンディングコマンドに基づいて、大当たり演出を各種演出装置で実行するための制御を行う。
【０１４６】
大当たり演出決定手段３２９は、サブＲＡＭの受信コマンド領域にセットされているオープニングコマンドを大当たり演出判定テーブル（図示省略）に照合して、大当たり遊技を演出するための大当たり演出の種類を決定する。
【０１４７】
大当たり演出実行手段３３０は、サブＲＡＭの受信コマンド領域にセットされているラウンド数コマンド、インターバルコマンド、エンディングコマンドに基づいて大当たり演出決定手段３２９が決定した大当たり演出を各種演出装置に実行させる。
【０１４８】
［メイン制御装置の制御処理］
次に、図６〜図１５までのフローチャートを参照しながら、本実施形態に係るメイン制御装置１００の制御処理を説明する。メイン制御装置１００の制御処理は、メイン処理とタイマ割込処理を含んで構成される。
【０１４９】
＜メイン制御装置のメイン処理＞
図６は、メイン制御装置１００のメイン処理を示すフローチャートであり、電源装置から動作電源が供給されるとシステムリセットが発生してメインワンチップマイコンのセキュリティチェックが行われ、その後に以下の処理が行われる。
【０１５０】
まず、ステップＳ１において、初期化処理を行う。この初期化処理では、メインＲＯＭから遊技制御プログラムを読み込むと共に、ＲＡＭクリアスイッチ８２ａが操作されているか否かを判定し、操作されている場合にはメインＲＡＭの記憶情報を初期化する。一方、操作されていない場合にはチェックサムを算出してメインＲＡＭに記憶されているチェックサムと比較し、チェックサムが異なる場合にはメインＲＡＭの記憶情報を初期化する。一方、チェックサムが同じ場合にはメインＲＡＭの記憶情報に基づき遊技の制御状態を停電前の状態に復帰させる処理を行う。
【０１５１】
次に、ステップＳ２において、乱数更新処理を行う。この乱数更新処理では、特図変動パターン判定乱数、普図変動パターン判定乱数、大当たり判定乱数の周回初期値を決定するための大当たり判定初期値乱数、大当たり図柄判定乱数の周回初期値を決定するための大当たり図柄判定初期値乱数、当たり判定乱数の周回初期値を決定するための当たり判定初期値乱数、当たり図柄判定乱数の周回初期値を決定するための当たり図柄判定初期値乱数等を更新する処理を行う。
【０１５２】
次に、ステップＳ３において、電源装置からの動作電源の供給が停止する停電が発生したか否かを判定する。停電が発生していない場合（Ｓ３：ＮＯ）には、再びステップＳ２の乱数更新処理に移行する。一方、停電が発生した場合（Ｓ３：ＹＥＳ）には、ステップ４において、タイマ割込処理の発生を禁止する割込み禁止をセットする。
【０１５３】
次に、ステップＳ５において、出力ポートをクリアし、ステップＳ６において、チェックサムを算出してメインＲＡＭにセーブし、ステップＳ７において、停電からの復旧時に参照するバックアップフラグをＯＮし、ステップＳ８において、ＲＡＭアクセスを禁止する処理を行い、動作電源の供給が完全に停止するまで待機する。
【０１５４】
＜メイン制御装置のタイマ割込処理＞
図７は、メイン制御装置１００のタイマ割込処理を示すフローチャートであり、ＣＴＣ回路から所定周期（４ｍｓ）毎にクロックパルスが入力されると以下の処理が行われる。
【０１５５】
まず、ステップＳ５０において、タイマ更新処理を行う。このタイマ更新処理では、特別図柄の変動時間、特別図柄の停止時間、大当たり遊技のオープニング時間、大当たり遊技のインターバル時間、大当たり遊技のエンディング時間、普通図柄の変動時間、普通図柄の停止時間、当たり遊技のオープニング時間、当たり遊技のエンディング時間等を計測するためのタイマを更新する。
【０１５６】
次に、ステップＳ１００において、乱数更新処理を行う。この乱数更新処理では、大当たり判定乱数、大当たり図柄判定乱数、当たり判定乱数、当たり図柄判定乱数、大当たり判定初期値乱数、大当たり図柄判定初期値乱数、当たり判定初期値乱数、当たり図柄判定初期値乱数等の更新を行う。
【０１５７】
なお、乱数の更新は、乱数の最小値と最大値との間で周回するように１ずつ更新されていくが、大当たり判定乱数、大当たり図柄判定乱数、当たり判定乱数及び当たり図柄判定乱数については、更新後の乱数値が周回の初期値に到達すると上述した初期値乱数を参照して新たな周回の初期値を設定して更新を続けるようになっている。
【０１５８】
次に、ステップＳ１５０において、入力処理を行う。この入力処理では、各種スイッチや各種センサからの検出信号（入力信号）の入力を監視したり、払出制御装置２００からのコマンドの受信を監視したりする。詳細は後述する。
【０１５９】
次に、ステップＳ２００において、エラー検出処理を行う。このエラー検出処理では、枠開放検出スイッチ７ａからの入力信号に基づいて、内枠４及び／又はガラス枠７が開放している枠開放エラーの発生及び終了が検出される。また、第２始動口スイッチ４６ａや大入賞口スイッチ５４ａからの入力信号に基づいて、第２始動口４６や大入賞口５４が閉鎖状態となっている入賞不能期間において所定個数（１個又は複数個）の遊技球が入賞する異常入賞エラーの発生が検出される。また、磁気センサ８０ａからの入力信号に基づいて、所定の閾値を超える磁気が検出される磁気エラーの発生が検出される。また、電波センサ８１ａからの入力信号に基づいて、所定の周波数の電波が検出される電波エラーの発生が検出される。また、ゲートスイッチ５１ａからの入力信号に基づいて、通常遊技状態において普図ゲート５１を遊技球が通過する右打ちエラーの発生が検出される。
【０１６０】
次に、ステップＳ２５０において、特図遊技処理を行う。この特図遊技処理では、第１特別図柄表示器６０や第２特別図柄表示器６２での特別図柄の変動表示や、変動入賞装置５３を開閉させる大当たり遊技（特別遊技）の実行等を制御するための処理が行われる。詳細は後述する。
【０１６１】
次に、ステップＳ３００において、普図遊技処理を行う。この普図遊技処理では、普通図柄表示器６４での普通図柄の変動表示や、第２始動口４６を開閉させる当たり遊技（補助遊技）の実行を制御するための処理が行われる。詳細は後述する。
【０１６２】
次に、ステップＳ３５０において、表示情報出力設定処理を行う。この表示情報出力設定処理では、第１特別図柄表示器６０、第１特別図柄保留表示器６１、第２特別図柄表示器６２、第２特別図柄保留表示器６３、普通図柄表示器６４、普通図柄保留表示器６５、ラウンド数表示器６６、右打ち表示器６７、時短遊技状態表示器６８、高確率遊技状態表示器６９に表示させる表示情報（表示データ）を作成してメインＲＡＭの表示情報出力領域にセットする処理が行われる。
【０１６３】
次に、ステップＳ４００において、賞球制御処理を行う。この賞球制御処理では、普通入賞口スイッチ４４ａ、第１始動口スイッチ４５ａ、第２始動口スイッチ４６ａ、大入賞口スイッチ５４ａからの入力信号に基づいて、賞球の払出を実行するか否かを判定し、賞球の払出を実行する場合には払出数を示す払出数コマンドを払出制御装置２００に送信すべくメインＲＡＭの送信コマンド領域にセットするなどの処理が行われる。
【０１６４】
次に、ステップＳ４５０において、数値情報更新処理を行う。この数値情報更新処理では、外部出力端子板８６を介して遊技機の外部（ホールコンピュータ、台コンピュータ、球貸機等）に出力するための数値情報（特別遊技情報）を更新する処理を行う。詳細は後述する。
【０１６５】
次に、ステップＳ５００において、遊技情報出力設定処理を行う。この遊技情報出力設定処理では、外部出力端子板８６を介して遊技機の外部（ホールコンピュータ、呼出ランプ、台コンピュータ、球貸機等）に出力する遊技情報（通常遊技情報、特別遊技情報）の出力データをメインＲＡＭの外部出力領域にセットするなどの処理を行う。詳細は後述する。
【０１６６】
最後に、ステップＳ５５０において、出力処理を行って、タイマ割込処理を終了する。この出力処理では、メインＲＡＭの送信コマンド領域にセットされている各種コマンドを払出制御装置２００やサブ制御装置３００に送信したり、メインＲＡＭの表示情報出力領域にセットされている表示情報（表示データ）を遊技情報表示装置５９やエラー表示装置８３に出力したり、メインＲＡＭの外部出力領域にセットされている遊技情報を外部出力端子板８６から出力したりする処理を行う。
【０１６７】
＜メイン制御装置の入力処理＞
図８は、メイン制御装置１００の入力処理を示すフローチャートであり、上述したタイマ割込処理内において実行される。
【０１６８】
まず、ステップＳ１５１において、普通入賞口４４への遊技球の入賞があるか否かを判定する。普通入賞口４４への遊技球の入賞がなかった場合（Ｓ１５１：ＮＯ）には、ステップＳ１５３に処理を移す。一方、普通入賞口４４への遊技球の入賞があった場合（Ｓ１５１：ＹＥＳ）には、ステップＳ１５２において、払出制御装置２００に払出数コマンドを送信する際に参照するメインＲＡＭの１０個賞球カウンタを１加算する。
【０１６９】
次に、ステップＳ１５３において、大入賞口５４への遊技球の入賞があるか否かを判定する。大入賞口５４への遊技球の入賞がなかった場合（Ｓ１５３：ＮＯ）には、ステップＳ１５５に処理を移す。一方、大入賞口５４への遊技球の入賞があった場合（Ｓ１５３：ＹＥＳ）には、ステップＳ１５４において、払出制御装置２００に払出数コマンドを送信する際に参照するメインＲＡＭの１５個賞球カウンタを１加算する。
【０１７０】
次に、ステップＳ１５５において、第１始動口４５への遊技球の入賞があるか否かを判定する。第１始動口４５への遊技球の入賞がなかった場合（Ｓ１５５：ＮＯ）には、ステップＳ１６１に処理を移す。一方、第１始動口４５への遊技球の入賞があった場合（Ｓ１５５：ＹＥＳ）には、ステップＳ１５６において、払出制御装置２００に払出数コマンドを送信する際に参照するメインＲＡＭの３個賞球カウンタを１加算する。
【０１７１】
次に、ステップＳ１５７において、第１特図保留数が上限値（４）よりも小さいか否かを判定する。第１特図保留数が上限値（４）よりも小さくない場合（Ｓ１５７：ＮＯ）には、ステップＳ１６１に処理を移す。一方、第１特図保留数が上限値よりも小さい場合（Ｓ１５７：ＹＥＳ）には、ステップＳ１５８において、特図判定情報（大当たり判定乱数、大当たり図柄判定乱数、特図変動パターン判定乱数）を取得してメインＲＡＭの第１保留記憶領域に記憶し、ステップＳ１５９において、第１特図保留数を１加算し、特図保留数コマンドをメインＲＡＭの送信コマンド領域にセットする。
【０１７２】
次に、ステップＳ１６０において、第１事前判定処理を行う。この第１事前判定処理では、ステップＳ１５８で取得した特図判定情報（大当たり判定乱数、大当たり図柄判定乱数、特図変動パターン判定乱数）を後述する特図遊技処理（Ｓ２５０）で判定するよりも事前に判定し、判定結果に対応する事前判定コマンドをメインＲＡＭの送信コマンド領域にセットする。
【０１７３】
次に、ステップＳ１６１において、第２始動口４６への遊技球の入賞があるか否かを判定する。第２始動口４６への遊技球の入賞がなかった場合（Ｓ１６１：ＮＯ）には、ステップＳ１６７に処理を移す。第２始動口４６への遊技球の入賞があった場合（Ｓ１６１：ＹＥＳ）には、ステップＳ１６２において、払出制御装置２００に払出数コマンドを送信する際に参照するメインＲＡＭの１個賞球カウンタを１加算する。
【０１７４】
次に、ステップＳ１６３において、第２特図保留数が上限値（４）よりも小さいか否かを判定する。第２特図保留数が上限値（４）よりも小さくない場合（Ｓ１６３：ＮＯ）には、ステップＳ１６７に処理を移す。一方、第２特図保留数が上限値よりも小さい場合（Ｓ１６３：ＹＥＳ）には、ステップＳ１６４において、特図判定情報（大当たり判定乱数、大当たり図柄判定乱数、特図変動パターン判定乱数）を取得してメインＲＡＭの第２保留記憶領域に記憶し、ステップＳ１６５において、第２特図保留数を１加算し、特図保留数コマンドをメインＲＡＭの送信コマンド領域にセットする。
【０１７５】
次に、ステップＳ１６６において、第２事前判定処理を行う。この第２事前判定処理では、ステップＳ１６４で取得した特図判定情報（大当たり判定乱数、大当たり図柄判定乱数、特図変動パターン判定乱数）を後述する特図遊技処理（Ｓ２５０）で判定するよりも事前に判定し、判定結果に対応する事前判定コマンドをメインＲＡＭの送信コマンド領域にセットする。
【０１７６】
次に、ステップＳ１６７において、普図ゲート５１への遊技球の通過があるか否かを判定する。普図ゲートへの遊技球の通過がなかった場合（Ｓ１６７：ＮＯ）には、今回の入力処理を終了する。一方、普図ゲートへの遊技球の通過があった場合（Ｓ１６７：ＹＥＳ）には、ステップＳ１６８において、普図保留数が上限値（４）よりも小さいか否かを判定する。
【０１７７】
普図保留数が上限値（４）よりも小さくない場合（Ｓ１６８：ＮＯ）には、今回の入力処理を終了する。一方、普図保留数が上限値（４）よりも小さい場合（Ｓ１６８：ＹＥＳ）には、ステップＳ１６９において、普図判定情報（当たり判定乱数、当たり図柄判定乱数、普図変動パターン判定乱数）を取得してメインＲＡＭの普図保留記憶領域に記憶し、ステップＳ１７０において、普図保留数を１加算し、普図保留数コマンドをメインＲＡＭの送信コマンド領域にセットし、今回の入賞処理を終了する。
【０１７８】
なお、第１事前判定処理（Ｓ１６０）及び第２事前判定処理（Ｓ１６６）において、ステップＳ１５８又はステップＳ１６４で取得された特図判定情報を判定するようにしたが、第１保留記憶領域又は第２保留記憶領域に記憶された特図判定情報を判定するようにしてもよい。また、事前判定用のテーブルを用いて特図判定情報を判定してもよいし、特図遊技処理で用いるテーブルを用いて特図判定情報を判定してもよい。
【０１７９】
＜メイン制御装置の特図遊技処理＞
図９は、メイン制御装置１００の特図遊技処理を示すフローチャートであり、上述したタイマ割込処理内において実行される。
【０１８０】
まず、ステップＳ２５１において、メインＲＡＭに記憶される特図遊技処理データを参照し、ステップＳ２５２において、特図遊技処理データから分岐先の処理を特定する。
【０１８１】
特図遊技処理データ＝０の場合には、ステップＳ２５３において、特図保留記憶判定処理を行い、今回の特図遊技処理を終了する。この特図保留記憶判定処理では、特図保留があるか否かを判定し、特図保留がある場合には、第１特図保留又は第２特図保留に基づき大当たり抽選を行って第１特別図柄表示器６０又は第２特別図柄表示器６２で特別図柄の変動表示を開始させて変動時間をセットし、特別図柄の変動表示の開始を示す特図変動開始コマンド（特図停止図柄コマンド、特図変動パターンコマンド）をメインＲＡＭの送信コマンド領域にセットして特図遊技処理データに１をセットする処理を行う。一方、特図保留がない場合には、客待ち状態コマンドをメインＲＡＭの送信コマンド領域にセットする処理を行う。詳細は後述する。
【０１８２】
特図遊技処理データ＝１の場合には、ステップＳ２５４において、特別図柄変動処理を行い、今回の特図遊技処理を終了する。この特別図柄変動処理では、特別図柄の変動時間が経過したか否かを判定し、変動時間が経過すると特図保留記憶判定処理（Ｓ２５３）で決定された特図停止図柄を第１特別図柄表示器６０又は第２特別図柄表示器６２に停止表示させて停止時間をセットし、特別図柄の変動表示の停止を示す特図確定コマンドをメインＲＡＭの送信コマンド領域にセットして特図遊技処理データに２をセットする処理を行う。
【０１８３】
特図遊技処理データ＝２の場合には、ステップＳ２５５において、特別図柄停止処理を行い、今回の特図遊技処理を終了する。この特別図柄停止処理では、特別図柄の停止時間が経過したか否かを判定し、現在が時短遊技状態であれば時短回数を１減算する処理を行う。さらに、特図停止図柄が大当たり特別図柄である場合には、大当たり遊技のオープニング時間をセットして大当たり遊技のオープニングの開始を示すオープニングコマンドをメインＲＡＭの送信コマンド領域にセットして特図遊技処理データを３にセットする処理を行う。一方、特図停止図柄がハズレ特別図柄である場合には、特図遊技処理データを０にセットする処理を行う。
【０１８４】
特図遊技処理データ＝３の場合には、ステップＳ２５６において、大当たり遊技処理を行い、今回の特図遊技処理を終了する。この大当たり遊技処理では、オープニング時間が経過したか否かを判定し、オープニング時間が経過すると大入賞口５４を開放させると共に、大入賞口開放時間をセットしてラウンド遊技を開始し、ラウンド遊技の開始とラウンド数を示すラウンド数コマンドをメインＲＡＭの送信コマンド領域にセットする処理を行う。
【０１８５】
また、ラウンド遊技において大入賞口開放時間が経過するか、規定数（例えば１０個）の遊技球が入賞するかの終了条件の成立を判定し、終了条件が成立すると最終のラウンド遊技の終了であるか否かを判定し、最終のラウンド遊技の終了でない場合には、大入賞口５４を閉鎖させると共に、インターバル時間をセットしてインターバルを開始し、インターバル中であることを示すインターバルコマンドをメインＲＡＭの送信コマンド領域にセットする処理を行う。
【０１８６】
また、インターバル中においてインターバル時間が経過したか否かを判定し、インターバル時間が経過すると再び大入賞口５４を開放させると共に、大入賞口開放時間をセットしてラウンド遊技を開始し、ラウンド遊技の開始とラウンド数を示すラウンド数コマンドをメインＲＡＭの送信コマンド領域にセットする処理を行う。
【０１８７】
一方、最終のラウンド遊技の終了である場合には、エンディング時間をセットしてエンディングを開始し、エンディングの開始を示すエンディングコマンドをメインＲＡＭの送信コマンド領域にセットする処理を行う。
【０１８８】
また、エンディング中においてエンディング時間が経過したか否かを判定し、エンディング時間が経過すると特図遊技処理データを４にセットする処理を行う。
【０１８９】
特図遊技処理データ＝４の場合には、ステップＳ２５７において、大当たり遊技終了処理を行い、今回の特図遊技処理を終了する。この大当たり遊技終了処理では、大当たり遊技を発生させた特図停止図柄に対応する遊技状態（確変遊技状態１、確変遊技状態２、時短遊技状態）をセットして遊技状態を示す遊技状態コマンドをメインＲＡＭの送信コマンド領域にセットし、時短遊技状態が継続する変動表示の回数である時短回数（０回、３０回、５０回、１００回、次回まで）をセットして特図遊技処理データを０にセットする処理を行う。
【０１９０】
＜メイン制御装置の特図保留記憶判定処理＞
図１０は、メイン制御装置１００の特図保留記憶判定処理を示すフローチャートであり、上述した特図遊技処理内において実行される。
【０１９１】
まず、ステップＳ２５３−１において、現在が特別図柄の変動表示中であるか否かを判定する。特別図柄の変動表示中である場合（Ｓ２５３−１：ＹＥＳ）には、今回の特図保留記憶判定処理を終了する。一方、特別図柄の変動表示中でない場合（Ｓ２５３−１：ＮＯ）には、ステップＳ２５３−２において、第２特図保留数が１以上であるか否かを判定する。
【０１９２】
第２特図保留数が１以上である場合（Ｓ２５３−２：ＹＥＳ）には、ステップＳ２５３−３において、第２特図保留数を１減算し、特図保留数コマンドをメインＲＡＭの送信コマンド領域にセットし、ステップＳ２５３−６に処理を移す。
【０１９３】
一方、第２特図保留数が１以上でない場合（Ｓ２５３−２：ＮＯ）には、ステップＳ２５３−４において、第１特図保留数が１以上であるか否かを判定する。第１特図保留数が１以上である場合（Ｓ２５３−４：ＹＥＳ）には、ステップＳ２５３−５において、第１特図保留数を１減算し、特図保留数コマンドをメインＲＡＭの送信コマンド領域にセットする。
【０１９４】
次に、ステップＳ２５３−６において、特図保留数を減算した保留記憶領域の内容をシフトする。具体的には、第１特図保留数を減算した場合には第１保留記憶領域に記憶される特図判定情報のうちで最も早く記憶された最先（最古）の特図判定情報をメインＲＡＭの特図実行記憶領域に移動し、第２特図保留数を減算した場合には第２保留記憶領域に記憶される特図判定情報のうちで最も早く記憶された最先（最古）の特図判定情報をメインＲＡＭの特図実行記憶領域に移動する。
【０１９５】
次に、ステップＳ２５３−７において、大当たり判定処理を行う。この大当たり判定処理では、特図実行記憶領域に移動した特図判定情報である大当たり判定乱数を大当たり判定テーブル（図１１参照）に照合して、大当たりであるか（大当たり遊技を実行するか）否かを判定する。大当たり判定テーブルの詳細は後述する。
【０１９６】
次に、ステップＳ２５３−８において、特図停止図柄判定処理を行う。この特図停止図柄判定処理では、大当たり判定処理（Ｓ２５３−７）の判定結果と特図実行記憶領域に移動した特図判定情報である大当たり図柄判定乱数を特図停止図柄判定テーブル（図１１参照）に照合して、第１特別図柄表示器６０又は第２特別図柄表示器６２に停止表示させる特別図柄の種類を判定する。特図停止図柄判定テーブルの詳細は後述する。
【０１９７】
次に、ステップＳ２５３−９において、メインＲＡＭの送信コマンド領域に特図停止図柄判定処理（Ｓ２５３−８）の判定結果に対応する特図停止図柄コマンドをセットする。
【０１９８】
次に、ステップＳ２５３−１０において、特図変動パターン判定処理を行う。この特図変動パターン判定手段では、特図停止図柄判定処理（Ｓ２５３−８）の判定結果と特図実行記憶領域に移動した特図判定情報である特図変動パターン判定乱数を特図変動パターン判定テーブル（図１２参照）に照合して、特別図柄を変動表示する特図変動パターン（変動時間）を判定する。特図変動パターン判定テーブルの詳細は後述する。
【０１９９】
次に、ステップＳ２５３−１１において、メインＲＡＭの送信コマンド領域に特図変動パターン判定処理（Ｓ２５３−１０）の判定結果に対応する特図変動パターンコマンドをセットする。
【０２００】
次に、ステップＳ２５３−１２において、メインＲＡＭに特図変動パターン判定処理（Ｓ２５３−１０）の判定結果に対応する特図変動時間及び特別図柄の変動開始を示す特図変動開始データをセットする。
【０２０１】
次に、ステップＳ２５３−１３において、特別図柄の変動表示も大当たり遊技も実行されていない客待ち状態中である場合にメインＲＡＭにセットされる客待ちフラグをクリアし、ステップＳ２５３−１４において、特図遊技処理データに１をセットし、今回の特図保留記憶判定処理を終了する。
【０２０２】
ステップＳ２５３−１４において第１特図保留数が１以上でないと判定された場合（Ｓ２５３−４：ＮＯ）には、ステップＳ２５３−１５において、メインＲＡＭに客待ち状態フラグがセットされているか否かを判定する。客待ち状態フラグがある場合（Ｓ２５３−１５：ＹＥＳ）には、今回の特図保留記憶判定処理を終了する。
【０２０３】
一方、客待ち状態フラグがない場合（Ｓ２５３−１５：ＮＯ）には、ステップＳ２５３−１６において、メインＲＡＭに客待ち状態フラグをセットし、ステップＳ２５３−１７において、メインＲＡＭの送信コマンド領域に客待ち状態中であることを示す客待ち状態コマンドをセットし、今回の特図保留記憶判定処理を終了する。
【０２０４】
＜大当たり判定テーブル＞
図１１（ａ）は、大当たり判定テーブルの一例を示す図であり、上述した大当たり判定処理において参照される。
【０２０５】
この大当たり判定テーブルには、大当たり確率（低確率、高確率）と、大当たり判定乱数値と、判定結果（ハズレ、大当たり）とが対応付けられている。図１１（ａ）からも分かるように、大当たり確率が低確率の場合には１／３００の確率で大当たりと判定され、大当たり確率が高確率の場合には１／６０の確率（低確率遊技状態の５倍の確率）で大当たりと判定される。
【０２０６】
＜特図停止図柄判定テーブル＞
図１１（ｂ）は、特図停止図柄判定テーブルの一例を示す図であり、上述した特図停止図柄判定処理において参照される。
【０２０７】
この特図停止図柄判定テーブルには、変動表示される特別図柄の種類（第１特別図柄、第２特別図柄）と、大当たり判定の判定結果と、ハズレ及び大当たりに対する振分割合と、振り分けられる停止図柄の種類とが対応付けられており、参考として、発生する大当たり遊技の種類と大当たり遊技の後に付与される電サポ回数を示している。
【０２０８】
ここで、「電サポ」とは、普電サポート状態の略であり、普電サポート状態とは、通常遊技状態と比べて当たり抽選で当たりと判定される確率が高確率であって、普通図柄の変動時間として短い変動時間が決定され易い状態である。そのため、普電サポート状態となることで通常遊技状態よりも第２始動口４６の単位時間当たりの開放回数が多くなって遊技球が入賞し易くなり、遊技者は通常遊技状態よりも有利に遊技を進めることが可能となる。
【０２０９】
「２ラウンド通常短当たり１」は、変動入賞装置５３（大入賞口５４）を０．５秒に亘って開状態に変換（短開放）するラウンド遊技を２回行う大当たり遊技であって、当該大当たり遊技の終了後に大当たり確率が低確率であって普電サポート状態とならない通常遊技状態に移行するものである。
【０２１０】
「２ラウンド通常短当たり２」は、変動入賞装置５３（大入賞口５４）を０．５秒に亘って開状態に変換（短開放）するラウンド遊技を２回行う大当たり遊技であって、当該大当たり遊技の終了後に大当たり確率が低確率であって特別図柄の変動表示が３０回実行されるまで普電サポート状態となる時短遊技状態に移行するものである。
【０２１１】
「２ラウンド通常短当たり３」は、変動入賞装置５３（大入賞口５４）を０．５秒に亘って開状態に変換（短開放）するラウンド遊技を２回行う大当たり遊技であって、当該大当たり遊技の終了後に大当たり確率が低確率であって特別図柄の変動表示が５０回実行されるまで普電サポート状態となる時短遊技状態に移行するものである。
【０２１２】
「２ラウンド通常短当たり４」は、変動入賞装置５３（大入賞口５４）を０．５秒に亘って開状態に変換（短開放）するラウンド遊技を２回行う大当たり遊技であって、当該大当たり遊技の終了後に大当たり確率が低確率であって特別図柄の変動表示が１００回実行されるまで普電サポート状態となる時短遊技状態に移行するものである。
【０２１３】
「２ラウンド確変短当たり」は、変動入賞装置５３（大入賞口５４）を０．５秒に亘って開状態に変換するラウンド遊技を２回行う大当たり遊技であって、当該大当たり遊技の終了後に大当たり確率が高確率であって普電サポート状態とならない第１確変遊技状態（高確率非時短遊技状態）に移行するものである。
【０２１４】
「８ラウンド確変長当たり」は、変動入賞装置５３（大入賞口５４）を２８秒間に亘って開状態に変換（長開放）するラウンド遊技を８回行う大当たり遊技であって、当該大当たり遊技の終了後に大当たり確率が高確率であって次回の大当たり遊技まで普電サポート状態となる第２確変遊技状態（高確率時短遊技状態）に移行するものである。
【０２１５】
「１０ラウンド確変大当たり」は、変動入賞装置５３（大入賞口５４）を２８秒間に亘って開状態に変換（長開放）するラウンド遊技を１０回行う大当たり遊技であって、当該大当たり遊技の終了後に大当たり確率が高確率であって次回の大当たり遊技まで普電サポート状態となる第２確変遊技状態（高確率時短遊技状態）に移行するものである。
【０２１６】
「１５ラウンド確変大当たり」は、変動入賞装置５３（大入賞口５４）を２８秒間に亘って開状態に変換（長開放）するラウンド遊技を８回行う大当たり遊技であって、当該大当たり遊技の終了後に大当たり確率が高確率であって次回の大当たり遊技まで普電サポート状態となる第２確変遊技状態（高確率時短遊技状態）に移行するものである。
【０２１７】
図１１（ｂ）からも分かるように、第１特別図柄の変動表示が実行されて大当たり遊技が実行される場合よりも、第２特別図柄の変動表示が実行されて大当たり遊技が実行される場合の方が、遊技者にとって有利な大当たり遊技が実行され易くなっている。つまり、遊技者に付与される遊技価値が大きくなり易いと言える。
【０２１８】
＜特図変動パターン判定テーブル＞
図１２は、特図変動パターン判定テーブルの一例を示す図であり、上述した特図変動パターン判定処理において参照される。
【０２１９】
この特図変動パターン判定テーブルには、変動表示される特別図柄の種類（第１特別図柄、第２特別図柄）と、大当たり判定の判定結果と、特図保留数（第１特図保留数、第２特図保留数）と、特図保留数に対する振分割合と、振り分けられる特図変動パターンと、特図変動パターンに対する特図変動時間とが対応付けられており、詳細として、変動表示演出における変動表示演出パターンを示している。
【０２２０】
ここで、「通常変動１」、「通常変動２」、「短縮変動」、「超短縮変動」とは、演出図柄（左図柄Ｚ１、中図柄Ｚ２、右図柄Ｚ３）が高速で変動し、少なくとも１つの演出図柄が変動表示中であって複数の演出図柄が仮停止した段階で、仮停止した演出図柄の組み合せが大当たりを報知する大当たり演出図柄の一部であるリーチ状態を形成せずに全ての演出図柄が停止表示する変動表示演出パターンである。
【０２２１】
また、「ノーマルリーチ」とは、リーチ状態を形成すると共に、大当たり演出図柄が停止表示される（大当たり遊技が実行される）期待度が最も低いリーチを示している。
【０２２２】
また、「ロングリーチ」とは、ノーマルリーチよりも変動時間が長く、リーチ状態を形成すると共に、大当たり演出図柄が停止表示される（大当たり遊技が実行される）期待度がノーマルリーチよりも高いリーチを示している。
【０２２３】
また、「スーパーリーチ」とは、ロングリーチよりも変動時間が長く、リーチ状態を形成すると共に、大当たり演出図柄が停止表示される（大当たり遊技が実行される）期待度がロングリーチよりも高いリーチを示している。
【０２２４】
また、「スペシャルリーチ」とは、スーパーリーチよりも変動時間が長く、リーチ状態を形成すると共に、大当たり演出図柄が停止表示される（大当たり遊技が実行される）期待度がスーパーリーチよりも高いリーチを示している。
【０２２５】
また、「全回転リーチ」とは、大当たり演出図柄が低速で変動表示された後に停止表示されるリーチであり、大当たり遊技が実行される場合にだけ実行されるリーチである。
【０２２６】
＜メイン制御装置の普図遊技処理＞
図１３は、メイン制御装置１００の普図遊技処理を示すフローチャートであり、上述したタイマ割込処理内において実行される。
【０２２７】
まず、ステップＳ３０１において、メインＲＡＭに記憶される普図遊技処理データを参照し、ステップＳ３０２において、普図遊技処理データから分岐先の処理を特定する。
【０２２８】
普図遊技処理データ＝０の場合には、ステップ３０３において、普図保留記憶判定処理を行い、今回の普図遊技処理を終了する。この普図保留記憶判定処理では、普図保留があるか否かを判定し、普図保留がある場合には、普図保留に基づき当たり抽選を行って普通図柄表示器６４で普通図柄の変動表示を開始させて変動時間をセットし、普通図柄の変動表示の開始を示す普図変動開始コマンド（普図停止図柄コマンド、普図変動パターンコマンド）をメインＲＡＭの送信コマンド領域にセットして普図遊技処理データに１をセットする処理を行う。
【０２２９】
普図遊技処理データ＝１の場合には、ステップＳ３０４において、普通図柄変動処理を行い、今回の普図遊技処理を終了する。この普通図柄変動処理では、普通図柄の変動時間が経過したか否かを判定し、変動時間が経過すると普図保留記憶判定処理（Ｓ３０３）で決定された普図停止図柄を普通図柄表示器６４に停止表示させて停止時間をセットし、普通図柄の変動表示の停止を示す普図確定コマンドをメインＲＡＭの送信コマンド領域にセットして普図遊技処理データに２をセットする処理を行う。
【０２３０】
普図遊技処理データ＝２の場合には、ステップＳ３０５において、普通図柄停止処理を行い、今回の普図遊技処理を終了する。この普通図柄停止処理では、普通図柄の停止時間が経過したか否かを判定し、普図停止図柄が当たり普通図柄である場合には、当たり遊技のオープニング時間をセットして当たり遊技のオープニングの開始を示すオープニングコマンドをメインＲＡＭの送信コマンド領域にセットして普図遊技処理データに３をセットする処理を行う。一方、普図停止図柄がハズレ普通図柄である場合には、普図遊技処理データを０にセットする処理を行う。
【０２３１】
普図遊技処理データ＝３の場合には、ステップＳ３０６において、当たり遊技処理を行い、今回の普図遊技処理を終了する。この当たり遊技処理では、オープニング時間が経過したか否かを判定し、オープニング時間が経過すると第２始動口４６を当たり普通図柄に対応する回数及び時間に亘って開放させて普図遊技処理データを４にセットする処理を行う。
【０２３２】
普図遊技処理データ＝４の場合には、ステップＳ３０７において、当たり遊技終了処理を行い、今回の普図遊技処理を終了する。この当たり遊技終了処理では、当たり普通図柄に対応する回数及び時間に亘る第２始動口４６の開放が終了するか、規定数（例えば１０個）の遊技球が入賞するかの終了条件の成立を判定し、終了条件が成立するとエンディング時間をセットしてエンディングを開始し、エンディングの開始を示すエンディングコマンドをメインＲＡＭの送信コマンド領域にセットする処理を行う。
【０２３３】
また、エンディング中においてエンディング時間が経過したか否かを判定し、エンディング時間が経過すると普図遊技処理データを０にセットする処理を行う。
【０２３４】
＜メイン制御装置の遊技情報更新処理＞
図１４は、メイン制御装置１００の遊技情報更新処理を示すフローチャートであり、上述したタイマ割込処理内において実行される。
【０２３５】
まず、ステップＳ４５１において、普通入賞口入賞数更新処理を行う。この普通入賞口入賞数更新処理では、普通入賞口４４への遊技球の入賞毎にメインＲＡＭに記憶される普通入賞口入賞数カウンタに１を加算（更新）する処理を行うことで、普通入賞口４４に入賞した遊技球数を更新する。
【０２３６】
なお、遊技状態（通常遊技状態、第１確変遊技状態、第２確変遊技状態、時短遊技状態）毎に普通入賞口入賞数カウンタを設け、普通入賞口４４に遊技球が入賞したときの遊技状態に対応する普通入賞口入賞数カウンタに１を加算する処理を行うようにしてもよい。
【０２３７】
次に、ステップＳ４５２において、始動口入賞数更新処理を行う。この始動口入賞数更新処理では、通常遊技状態中における第２始動口４６への遊技球の入賞毎にメインＲＡＭに記憶される始動口入賞数カウンタに１を加算する処理を行うことで、第２始動口４６に入賞した遊技球数を更新する。
【０２３８】
なお、遊技状態（通常遊技状態、第１確変遊技状態、第２確変遊技状態、時短遊技状態）毎に始動口入賞数カウンタを設け、第２始動口４６に遊技球が入賞したときの遊技状態に対応する始動口入賞数カウンタに１を加算する処理を行ってもよい。
【０２３９】
また、第１始動口４５用の始動口入賞数カウンタを設け、第１始動口４５への遊技球の入賞毎に第１始動口４５用の始動口入賞数カウンタに１を加算する処理を行うことで、第１始動口４５に入賞した遊技球数を更新するようにしてもよいし、遊技状態毎に第１始動口４５用の始動口入賞数カウンタを設け、第１始動口４５に遊技球が入賞したときの遊技状態に対応する第１始動口４５用の始動口入賞数カウンタに１を加算する処理を行うようにしてもよい。
【０２４０】
次に、ステップＳ４５３において、大入賞口入賞数更新処理を行う。この大入賞口入賞数更新処理では、ラウンド遊技中における大入賞口５４への遊技球の入賞毎にメインＲＡＭに記憶される大入賞口入賞数カウンタに１を加算すると共に、次のラウンド遊技が開始されたとき及びエンディングが開始されたときに大入賞口入賞数カウンタを０にリセットする処理を行うことで、１のラウンド遊技中に大入賞口５４に入賞した遊技球数を更新する。
【０２４１】
なお、大入賞口入賞数カウンタとは別に大入賞口総入賞数カウンタを設け、大当たり遊技中に大入賞口５４への遊技球の入賞があると大入賞口総入賞数カウンタに１を加算すると共に、大当たり遊技が終了したときに大入賞口総入賞数カウンタを０にリセットする処理を行うことで、大当たり遊技中に大入賞口５４に入賞した遊技球数を更新するようにしてもよいし、大入賞口入賞数カウンタを設けずに大入賞口総入賞数カウンタの更新だけを行うようにしてもよい。
【０２４２】
次に、ステップＳ４５４において、ゲート通過数更新処理を行う。このゲート通過数更新処理では、普図ゲート５１への遊技球の通過毎にメインＲＡＭに記憶されるゲート通過数カウンタを１加算（更新）する処理を行うことで、普図ゲート５１を通過した遊技球数を更新する。
【０２４３】
なお、遊技状態（通常遊技状態、第１確変遊技状態、第２確変遊技状態、時短遊技状態）毎にゲート通過数カウンタを設け、普図ゲート５１を遊技球が通過したときの遊技状態に対応するゲート通過数カウンタに１を加算する処理を行うようにしてもよい。
【０２４４】
次に、ステップＳ４５５において、普図当たり回数更新処理を行う。この普図当たり回数更新処理では、通常遊技状態中における当たり遊技の実行毎にメインＲＡＭに記憶される通常中普図当たり回数カウンタに１を加算する処理を行うことで、通常遊技状態中における普通図柄の当たり回数を更新する。
【０２４５】
また、普電サポート状態中（第２確変遊技状態、時短遊技状態）における当たり遊技の実行毎にメインＲＡＭに記憶される電サポ中普図当たり回数カウンタに１を加算する処理を行うことで、普電サポート状態中における普通図柄の当たり回数を更新する。
【０２４６】
なお、通常中普図当たり回数カウンタや電サポ中普図当たり回数カウンタとは別に普図当たり総回数カウンタを設け、当たり遊技が実行されると当たり総回数カウンタに１を加算する処理を行うようにしてもよいし、通常中普図当たり回数カウンタや電サポ中普図当たり回数カウンタを設けずに当たり総回数カウンタの更新だけを行うようにしてもよい。
【０２４７】
次に、ステップＳ４５６において、連荘回数更新処理を行う。この連荘回数更新処理では、通常遊技状態中に大当たり遊技（初当たり）が発生するとメインＲＡＭに記憶される連荘回数カウンタに１をセットすると共に、その後の確変遊技状態及び時短遊技状態の継続中に大当たり遊技が発生する毎に連荘回数カウンタに１を加算する処理を行うことで、大当たり遊技の連荘回数を更新する。
【０２４８】
次に、ステップＳ４５７において、確変移行回数更新処理を行う。この確変移行回数更新処理では、大当たり遊技の終了後に確変遊技状態（第１確変遊技状態、第２確変遊技状態）に移行する毎にメインＲＡＭに記憶される確変移行回数カウンタに１を加算する処理を行うことで、確変遊技状態への移行回数を更新する。
【０２４９】
なお、第１確変遊技状態に移行した場合にだけ確変移行回数カウンタを更新するようにしてもよいし、第２確変遊技状態に移行した場合にだけ確変移行回数カウンタを更新するようにしてもよい。
【０２５０】
次に、ステップＳ４５８において、時短移行回数更新処理を行って、今回の遊技情報更新処理を終了する。この時短移行回数更新処理では、大当たり遊技の終了後に時短遊技状態に移行する毎にメインＲＡＭに記憶される時短移行回数カウンタに１を加算する処理を行うことで、時短遊技状態への移行回数を更新する。
【０２５１】
なお、上述した各種のカウンタ（普通入賞口入賞数カウンタ、始動口入賞数カウンタ、ゲート通過数カウンタ、通常中普図当たり回数カウンタ、電サポ中普図当たり回数カウンタ、確変移行回数カウンタ、時短移行回数カウンタ等）は、遊技機１の電源投入後に実行されるステップＳ６の初期化処理で０にリセットされるため、遊技機１の電源投入期間における各種の数値を示しているが、カウンタの加算（更新）を開始してから所定期間（数時間、数週間、数ヶ月等）の経過毎に０にリセットするようにしてもよい。
【０２５２】
＜メイン制御装置の遊技情報出力設定処理＞
図１５は、メイン制御装置１００の遊技情報出力設定処理を示すフローチャートであり、上述したタイマ割込処理において実行される。遊技機１から出力される遊技情報（遊技情報信号）には、複数の出力端子を用いてパラレル通信形式で出力される複数の通常遊技情報（通常遊技情報信号）と、複数の出力端子を用いてシリアル通信形式で出力される複数の特別遊技情報（特別遊技情報信号）とがあるが詳細は後述する。
【０２５３】
まず、ステップＳ５０１において、通常遊技情報の中で出力タイミングとなったものがあるか否かを判定する。出力タイミングとなったものがない場合（Ｓ５０１：ＮＯ）には、ステップＳ５０３に処理を移す。一方、出力タイミングとなったものがある場合（Ｓ５０１：ＹＥＳ）には、ステップＳ５０２において、出力タイミングとなった通常遊技情報の出力情報をメインＲＡＭの第１外部出力領域にセットする。これにより、通常遊技情報信号の外部への出力が開始されることになる。
【０２５４】
次に、ステップＳ５０３において、通常遊技情報の中で出力停止タイミングとなったものがあるか否かを判定する。出力停止タイミングとなったものがない場合（Ｓ５０３：ＮＯ）には、ステップＳ５０５に処理を移す。一方、出力停止タイミングとなったものがある場合（Ｓ５０３：ＹＥＳ）には、ステップＳ５０４において、出力停止タイミングとなった通常遊技情報の出力情報をメインＲＡＭの第１外部出力領域からクリアする。これにより、通常遊技情報信号の外部への出力が停止されることになる。
【０２５５】
次に、ステップＳ５０５において、特別遊技情報の中で出力タイミングとなったものがあるか否かを判定する。出力タイミングとなったものがない場合（Ｓ５０５：ＮＯ）には、今回の遊技情報出力設定処理を終了する。一方、出力タイミングとなったものがある場合（Ｓ５０５：ＹＥＳ）には、ステップＳ５０６において、出力タイミングとなった特別遊技情報の出力情報をメインＲＡＭの第２外部出力領域にセットする。これにより、特別遊技情報信号の外部への出力が実行されることになる。
【０２５６】
＜遊技情報信号の説明＞
図１６は、外部出力端子板８６に設けられる各出力端子（第１端子〜第１１端子）から出力される遊技情報信号の種別（種類）と、遊技情報信号の出力タイミング（出力契機）と、遊技情報信号の出力期間を示す図である。なお、第１端子〜第８端子は、通常遊技信号を出力するための出力端子となっており、第９端子〜第１１端子は、特別遊技信号を出力するための出力端子となっている。
【０２５７】
第１端子は、所定のエラー（枠開放エラー、異常入賞エラー、磁気エラー、電波エラー）が発生したことを示すエラー信号（枠開放エラー信号、異常入賞エラー信号、磁気エラー信号、電波エラー信号）が所定期間に亘って出力される共通の出力端子である。
【０２５８】
枠開放エラー信号は、内枠４やガラス枠７の開放検出時が出力タイミングとなっており、内枠４及びガラス枠７の開放中が出力期間となっている。つまり、内枠４及びガラス枠７の閉鎖検出時が出力停止タイミングとなる。
異常入賞エラー信号は、異常入賞の検出時が出力タイミングとなっており、出力開始から６０秒間が出力期間となっている。つまり、出力開始から６０秒の経過時が出力停止タイミングとなっている。
【０２５９】
磁気エラー信号は、所定の閾値を超える磁気の検出時が出力タイミングとなっており、出力開始から６０秒間が出力期間となっている。つまり、出力開始から６０秒の経過時が出力停止タイミングとなっている。
電波エラー信号は、所定の周波数の電波の検出時が出力タイミングとなっており、出力開始から６０秒間が出力期間となっている。つまり、出力開始から６０秒の経過時が出力停止タイミングとなっている。
【０２６０】
なお、複数のエラーが同時に発生した場合には、複数のエラー信号の出力期間が重複することになるが、エラーの発生順にインターバルを挟んで出力するようにしてもよい。また、右打ちエラーの発生時には第１端子からエラー信号が出力されないが、右打ちエラーの発生時に所定期間（例えば１０秒間）に亘ってエラー信号を出力してもよい。
【０２６１】
第２端子は、単位個数（例えば１０個）の遊技球が実際に払い出されたことを示す払出信号が出力される出力端子である。払出信号は、単位個数の遊技球の払出完了時が出力タイミングとなっており、出力開始から１６ｍｓ間が出力期間となっている。つまり、出力開始から１６ｍｓ経過時が出力停止タイミングとなっている。
【０２６２】
第３端子は、単位個数（例えば１０個）の遊技球の払出が決定されたことを示す払出予定信号が出力される出力端子である。払出予定信号は、単位個数の遊技球の払出決定時が出力タイミングとなっており、出力開始から１６ｍｓ間が出力期間となっている。つまり、出力開始から１６ｍｓ経過時が出力停止タイミングとなっている。
【０２６３】
第４端子は、大当たり遊技（２ラウンド通常短当たり遊技１〜４、２ラウンド確変短当たり遊技、８ラウンド確変長当たり遊技、１０ラウンド確変長当たり遊技、１５ラウンド確変長当たり遊技）が実行されていることを示す大当たり中信号が出力される出力端子である。大当たり中信号は、大当たり遊技の開始時が出力タイミングとなっており、大当たり遊技中が出力期間となっている。つまり、大当たり遊技の終了時が出力停止タイミングとなっている。
【０２６４】
第５端子は、大当たり遊技のうちで大入賞口５４の開放時間が短い短当たり遊技（２ラウンド通常短当たり遊技１〜４、２ラウンド確変短当たり遊技）が実行されていることを示す短当たり中信号が出力される出力端子である。短当たり中信号は、短当たり遊技の開始時が出力タイミングとなっており、短当たり遊技中が出力期間となっている。つまり、短当たり遊技の終了時が出力停止タイミングとなっている。
【０２６５】
第６端子は、普電サポート状態（時短遊技状態）となっていることを示す時短中信号が出力される出力端子である。時短中信号は、普電サポート状態（時短遊技状態）の開始時が出力タイミングとなっており、普電サポート状態中が出力期間となっている。つまり、普電サポート状態の終了時が出力停止タイミングとなっている。
【０２６６】
第７端子は、第１始動口４５や第２始動口４６に遊技球が入賞したことを示す始動口入賞信号が出力される出力端子である。始動口入賞信号は、第１始動口４５や第２始動口４６への遊技球の入賞時が出力タイミングとなっており、出力開始から１６ｍｓ間が出力期間となっている。つまり、出力開始から１６ｍｓ経過時が出力停止タイミングとなっている。
【０２６７】
第８端子は、特別図柄の変動表示が終了（停止表示）したことを示す図柄確定信号が出力される出力端子である。図柄確定信号は、特別図柄の変動表示の終了時が出力タイミングとなっており、出力開始から１６ｍｓ間が出力期間となっている。つまり、出力開始から１６ｍｓ経過時が出力停止タイミングとなっている。
【０２６８】
第９端子は、特別遊技情報の種別を示す情報種別信号が出力される出力端子である。情報種別信号は、後述する各出力タイミング（図１７参照）から６４ｍｓ間が出力期間となっている。つまり、出力開始から６４ｍｓ経過時が出力停止タイミングとなっている。
【０２６９】
第１０端子は、情報種別信号に対応する特別遊技情報の詳細を示す数値情報信号が出力される出力端子である。数値情報信号は、後述する各出力タイミング（図１７参照）から６４ｍｓ間が出力期間となっている。つまり、出力開始から６４ｍｓ経過時が出力停止タイミングとなっている。
【０２７０】
第１１端子は、情報種別信号及び数値情報信号の取得（出力）タイミングを遊技機１の外部に通知するためのタイミング信号が出力される出力端子である。タイミング信号は、後述する各出力タイミング（図１７参照）から６４ｍｓ間が出力期間となっている。つまり、出力開始から６４ｍｓ経過時が出力停止タイミングとなっている。
【０２７１】
＜特別遊技情報信号の説明＞
図１７は、特別遊技情報信号を構成する情報種別信号及び数値情報信号の詳細と、出力タイミング（出力契機）を示す図である。
【０２７２】
情報種別信号は、特別遊技情報の種別（種類）を示す８ビット（１バイト）のデータ信号となっており、数値情報信号は、特別遊技情報の詳細（数値）を示す８ビット（１バイト）のデータ信号となっており、外部出力端子板８６からは情報種別信号、数値情報信号及びタイミング信号の３種類がセットで出力されるようになっている。
【０２７３】
特別遊技情報の種類には、普通入賞口入賞数情報、普通入賞口賞球数情報、第１特図保留数情報、第１始動口賞球数情報、第２特図保留数情報、通常中第２始動口入賞数情報、第２始動口賞球数情報、特図予定停止図柄情報、特図予定変動パターン情報、特図停止図柄情報、特図変動パターン情報、ラウンド数情報、大入賞口開放時間情報、大入賞口賞球数情報、大入賞口入賞数情報、ゲート通過数情報、普図保留数情報、普図停止図柄情報、普図変動パターン情報、通常中普図当たり回数情報、電サポ中普図当たり回数情報、連荘回数情報、確変移行回数情報、確変リミット回転数情報、時短移行回数情報、時短リミット回転数情報、エラー発生情報がある。
【０２７４】
普通入賞口入賞数情報は、普通入賞口４４に入賞した遊技球数を示す情報であり、普通入賞口４４への遊技球の入賞時が出力タイミングとなっている。普通入賞口入賞数情報は、普通入賞口入賞数であることを示す情報種別信号と、上述した普通入賞口入賞数カウンタの値（０〜２５５）を示す数値情報信号とから構成されている。
【０２７５】
普通入賞口賞球数情報は、普通入賞口４４への遊技球の入賞に基づき払い出される賞球数を示す情報であり、普通入賞口４４への遊技球の入賞時が出力タイミングとなっている。普通入賞口賞球数情報は、普通入賞口賞球数であることを示す情報種別信号と、普通入賞口４４に設定された賞球数である１０個を示す数値情報信号とから構成されている。
【０２７６】
第１特図保留数情報は、メインＲＡＭに記憶されている第１特図保留数を示す情報であり、第１特図保留数の変化時が出力タイミングとなっている。第１特図保留数情報は、第１特図保留数であることを示す情報種別信号と、メインＲＡＭに記憶されている第１特図保留数（０〜４）を示す数値情報信号とから構成されている。
【０２７７】
第１始動口賞球数情報は、第１始動口４５への遊技球の入賞に基づき払い出される賞球数を示す情報であり、第１始動口４５への遊技球の入賞時が出力タイミングとなっている。第１始動口賞球数情報は、第１始動口賞球数であることを示す情報種別信号と、第１始動口４５に設定された賞球数である３個を示す数値情報信号とから構成されている。
【０２７８】
第２特図保留数情報は、メインＲＡＭに記憶されている第２特図保留数を示す情報であり、第２特図保留数の変化時が出力タイミングとなっている。第２特図保留数情報は、第２特図保留数であることを示す情報種別信号と、メインＲＡＭに記憶されている第２特図保留数（０〜４）を示す数値情報信号とから構成されている。
【０２７９】
通常中第２始動口入賞数情報は、通常遊技状態において第２始動口４６に入賞した遊技球数を示す情報であり、第２始動口への遊技球の入賞時が出力タイミングとなっている。通常中第２始動口入賞数情報は、通常中第２始動口入賞数であることを示す情報種別信号と、上述した始動口入賞数カウンタの値（０〜２５５）を示す数値情報信号とから構成されている。
【０２８０】
第２始動口賞球数情報は、第２始動口４６への遊技球の入賞に基づき払い出される賞球数を示す情報であり、第２始動口４６への遊技球の入賞時が出力タイミングとなっている。第２始動口賞球数情報は、第２始動口賞球数であることを示す情報種別信号と、第２始動口４６に設定された賞球数である１個を示す数値情報信号とから構成されている。
【０２８１】
特図予定停止図柄情報は、大当たり判定乱数及び大当たり図柄判定乱数の事前判定結果を示す情報であり、第１始動口４５や第２始動口４６への遊技球の入賞時が出力タイミングとなっている。特図予定停止図柄情報は、特図予定停止図柄であることを示す情報種別信号と、特図停止図柄の事前判定結果（ハズレ、２ラウンド通常短当たり図柄、２ラウンド確変短当たり図柄、８ラウンド確変長当たり図柄、１０ラウンド確変長当たり図柄、１５ラウンド確変長当たり図柄の何れか）を示す数値情報信号とから構成されている。
【０２８２】
特図予定変動パターン情報は、特図変動パターン判定乱数の事前判定結果を示す情報であり、第１始動口４５や第２始動口４６への遊技球の入賞時が出力タイミングとなっている。特図予定変動パターン情報は、特図予定変動パターンであることを示す情報種別信号と、特図変動パターンの事前判定結果（パターン０〜３８の何れか）を示す数値情報信号とから構成されている。
【０２８３】
特図停止図柄情報は、大当たり判定乱数及び大当たり図柄判定乱数の判定結果を示す情報であり、特別図柄の変動開始時が出力タイミングとなっている。特図停止図柄情報は、特図停止図柄であることを示す情報種別信号と、特図停止図柄の判定結果（ハズレ、２ラウンド通常短当たり図柄、２ラウンド確変短当たり図柄、８ラウンド確変長当たり図柄、１０ラウンド確変長当たり図柄、１５ラウンド確変長当たり図柄の何れか）を示す数値情報信号とから構成されている。
【０２８４】
特図変動パターン情報は、特図変動パターン判定乱数の判定結果を示す情報であり、特別図柄の変動開始時が出力タイミングとなっている。特図変動パターン情報は、特図変動パターンであることを示す情報種別信号と、特図変動パターンの判定結果（パターン０〜３８の何れか）を示す数値情報信号とから構成されている。
【０２８５】
ラウンド数情報は、大当たり遊技で実行されるラウンド数を示す情報であり、大当たり遊技（オープニング）の開始時が出力タイミングとなっている。ラウンド数情報は、ラウンド数であることを示す情報種別信号と、大当たり遊技で実行されるラウンド数（２ラウンド、８ラウンド、１０ラウンド、１５ラウンドの何れか）を示す数値情報信号とから構成されている。
【０２８６】
大入賞口開放時間情報は、１のラウンド遊技における大入賞口５４の開放時間（の長短）を示す情報であり、オープニングの開始時及びインターバルの開始時が出力タイミングとなっている。大入賞口開放時間情報は、大入賞口開放時間であることを示す情報種別信号と、大入賞口開放時間（短開放、長開放）を示す数値情報信号とから構成されている。
【０２８７】
大入賞口賞球数情報は、大入賞口５４への遊技球の入賞に基づき払い出される賞球数を示す情報であり、大入賞口５４への遊技球の入賞時が出力タイミングとなっている。大入賞口賞球数情報は、大入賞口賞球数であることを示す情報種別信号と、大入賞口５４に設定された賞球数である１５個を示す数値情報信号とから構成されている。
【０２８８】
大入賞口入賞数情報は、１のラウンド遊技において大入賞口５４に入賞した遊技球数を示す情報であり、ラウンド遊技の終了時が出力タイミングとなっている。大入賞口入賞数情報は、大入賞口入賞数であることを示す情報種別信号と、上述した大入賞口入賞数カウンタの値（０〜２５５）を示す数値情報信号とから構成されている。
【０２８９】
ゲート通過数情報は、普図ゲート５１を通過した遊技球数を示す情報であり、普図ゲート５１への遊技球の通過時が出力タイミングとなっている。ゲート通過数情報は、ゲート通過数であることを示す情報種別信号と、上述したゲート通過数カウンタの値（０〜２５５）を示す数値情報信号とから構成されている。
【０２９０】
普図保留数情報は、メインＲＡＭに記憶されている普図保留数を示す情報であり、普図保留数の変化時が出力タイミングとなっている。普図保留数情報は、普図保留数であることを示す情報種別信号と、メインＲＡＭに記憶されている普図保留数（０〜４）を示す数値情報とから構成されている。
【０２９１】
普図停止図柄情報は、当たり判定乱数及び当たり図柄判定乱数の判定結果を示す情報であり、普通図柄の変動開始時が出力タイミングとなっている。普図停止図柄情報は、普図停止図柄であることを示す情報種別信号と、普図停止図柄の判定結果（ハズレ、短開放当たり図柄、短＆長開放当たり図柄、長＆長開放当たり図柄の何れか）を示す数値情報信号とから構成されている。
【０２９２】
普図変動パターン情報は、普図変動パターン判定乱数の判定結果を示す情報であり、普通図柄の変動開始時が出力タイミングとなっている。普図変動パターン情報は、普図変動パターンであることを示す情報種別信号と、普図変動パターンの判定結果（パターン０〜２０）を示す数値情報信号とから構成されている。
【０２９３】
通常中普図当たり回数情報は、通常遊技状態において発生した当たり遊技の回数を示す情報であり、通常遊技状態で当たり抽選が行われた結果として発生する当たり遊技の開始時が出力タイミングとなっている。通常中普図当たり回数情報は、通常中普図当たり回数であることを示す情報種別信号と、上述した通常中普図当たり回数カウンタの値（０〜２５５）を示す数値情報信号とから構成されている。
【０２９４】
電サポ中普図当たり回数情報は、普電サポート状態（時短遊技状態）において発生した当たり遊技の回数を示す情報であり、普電サポート状態で当たり抽選が行われた結果として発生する当たり遊技の開始時が出力タイミングとなっている。電サポ中普図当たり回数情報は、電サポ中普図当たり回数であることを示す情報種別信号と、上述した電サポ中普図当たり回数カウンタの値（０〜２５５）を示す数値情報信号とから構成されている。
【０２９５】
第２始動口開放回数情報は、当たり遊技において第２始動口４６が開放する回数を示す情報であり、当たり遊技の開始時が出力タイミングとなっている。第２始動口開放回数情報は、第２始動口開放回数であることを示す情報種別信号と、当たり遊技における第２始動口４６の開放回数（１〜２）を示す数値情報信号とから構成されている。
【０２９６】
連荘回数情報は、通常遊技状態で発生した大当たり遊技を１回目として確変遊技状態及び時短遊技状態が継続している間に連続して発生した大当たり遊技の回数を示す情報であり、確変遊技状態や時短遊技状態の開始時が出力タイミングとなっている。連荘回数情報は、連荘回数であることを示す情報種別信号と、上述した連荘回数カウンタの値（０〜２５５）を示す数値情報信号とから構成されている。
【０２９７】
確変移行回数情報は、確変遊技状態に移行した回数を示す情報であり、確変遊技状態の開始時が出力タイミングとなっている。確変移行回数情報は、確変移行回数であることを示す情報種別信号と、上述した確変移行回数カウンタの値（０〜２５５）を示す数値情報信号とから構成されている。
【０２９８】
確変リミット回転数情報は、確変遊技状態で実行可能な特別図柄の変動表示の回数を示す情報であり、確変遊技状態の開始時が出力タイミングとなっている。確変リミット回転数情報は、確変リミット回転数であることを示す情報種別信号と、これから発生する確変遊技状態で実行可能な特別図柄の変動表示の回数（次回まで）を示す数値情報信号とから構成されている。
【０２９９】
時短移行回数情報は、時短遊技状態に移行した回数を示す情報であり、時短遊技状態の開始時が出力タイミングとなっている。時短移行回数情報は、時短移行回数であることを示す情報種別信号と、上述した時短移行回数カウンタの値（０〜２５５）を示す数値情報信号とから構成されている。
【０３００】
時短リミット回転数情報は、時短遊技状態で実行可能な特別図柄の変動表示の回数を示す情報であり、時短遊技状態の開始時が出力タイミングとなっている。時短リミット回転数情報は、時短リミット回転数であることを示す情報種別信号と、これから発生する時短遊技状態で実行可能な特別図柄の変動表示の回数（３０回、５０回、１００回の何れか）を示す数値情報信号とから構成されている。
【０３０１】
エラー発生情報は、各種エラー（枠開放エラー、異常入賞エラー、磁気エラー、電波エラー、右打ちエラー）が発生したことを示す情報であり、各種エラーの発生時が出力タイミングとなっている。エラー発生情報は、エラー発生を示す情報種別信号と、発生したエラーの種類を示す数値情報信号とから構成されている。
【０３０２】
このように、様々な出力タイミングで特別遊技情報（情報種別信号、数値情報信号）が外部出力端子板８６を介して出力されるため、遊技の進行に応じた具体的（詳細）な遊技情報を遊技機１の外部（ホールコンピュータ、台コンピュータ、球貸機等）に出力することが可能となる。これにより、遊技機の外部で詳細な遊技情報の分析を行ったり、詳細な遊技情報を利用して島設備等で所定の演出を行ったりすることが可能となる。
【０３０３】
なお、特別遊技情報に、遊技状態毎の普通入賞口４４に入賞した遊技球数を示す状態別普通入賞口入賞数情報や、第１始動口４５に入賞した遊技球数を示す第１始動口入賞数情報や、遊技状態毎の第１始動口４５に入賞した遊技球数を示す状態別第１始動口入賞数情報や、遊技状態毎の第２始動口４６に入賞した遊技球数を示す状態別第２始動口入賞数情報等を設定しておき、外部出力端子板８６から出力するようにしてもよい。
【０３０４】
また、特図予定停止図柄情報や特図停止図柄情報に代えて、大当たり判定乱数の乱数値を示す大当たり判定乱数情報や大当たり図柄判定乱数の乱数値を示す大当たり図柄判定乱数情報を出力するようにしてもよいし、特図予定変動パターン情報や特図変動パターン情報に代えて、特図変動パターン判定乱数の乱数値を示す特図変動パターン判定乱数情報を出力するようにしてもよい。
【０３０５】
また、普図停止図柄情報に代えて、当たり判定乱数の乱数値を示す当たり判定乱数情報や当たり図柄判定乱数の乱数値を示す当たり図柄判定乱数情報を出力するようにしてもよいし、普図変動パターン情報に代えて、普図変動パターン判定乱数の乱数値を示す普図変動パターン判定乱数情報を出力するようにしてもよい。
【０３０６】
また、普通入賞口賞球数情報、第１始動口賞球数情報、第２始動口賞球数情報、大入賞口賞球数情報を遊技球の入賞毎に出力するのではなく、電源投入時や初回の入賞時等のタイミングでのみ出力するようにしてもよい。
【０３０７】
また、連荘回数情報を確変遊技状態や時短遊技状態の開始時に出力するのではなく、大当たり遊技の開始時や大当たり遊技の終了時に出力するようにしてもよい。
【０３０８】
＜特別遊技情報の出力例＞
次に、図１８〜図２３を参照しながら、各種の出力タイミングにおける特別遊技情報（情報種別信号、数値情報信号、タイミング信号）の出力例について説明する。
【０３０９】
なお、情報種別信号及び数値情報信号は、それぞれ外部出力端子板８６の第９端子及び第１０端子から出力され、出力開始から８ｍｓ毎に出力ビットが０〜７へと変化し、６４ｍｓが経過した時点で８ビット（１バイト）分の出力が完了するようになっている。
【０３１０】
また、タイミング信号は、外部出力端子板８６の第１１端子から出力され、常態においてＯＮ（ハイレベル）となっており、情報種別信号及び数値情報信号の出力中においてＯＦＦ（ローレベル）となることで特別遊技情報信号の出力（読み取り開始、読み取り終了）タイミングを外部に通知するようになっている。
【０３１１】
図１８は、普通入賞口４４への遊技球の入賞時に外部出力端子板８６（第９端子〜第１１端子）から普通入賞口入賞数情報及び普通入賞口賞球数情報を出力する場合のタイミングチャートである。
【０３１２】
Ｔ１のタイミングにおいて、普通入賞口スイッチ４４ａで遊技球を検出すると、普通入賞口入賞数であることを示す情報種別信号、及び、普通入賞口入賞数カウンタの値（２５個）を示す数値情報信号の出力が開始され、タイミング信号がＯＮ（ハイレベル）からＯＦＦ（ローレベル）に切り替わる。
【０３１３】
Ｔ２のタイミングにおいて、情報種別信号及び数値情報信号の出力期間が終了すると、タイミング信号がＯＦＦ（ローレベル）からＯＮ（ハイレベル）に切り替わり、普通入賞口入賞数情報の出力が完了する。
【０３１４】
続いて、Ｔ３のタイミングにおいて、Ｔ２のタイミングから出力インターバル（８ｍｓ）が経過すると、普通入賞口賞球数であることを示す情報種別信号、及び、普通入賞口４４に設定された賞球数である１０個を示す数値情報信号の出力が開始され、タイミング信号がＯＮ（ハイレベル）からＯＦＦ（ローレベル）に切り替わる。
【０３１５】
Ｔ４のタイミングにおいて、情報種別信号及び数値情報信号の出力期間が終了すると、タイミング信号がＯＦＦ（ローレベル）からＯＮ（ハイレベル）に切り替わり、普通入賞口賞球数情報の出力が完了する。
【０３１６】
このように、普通入賞口スイッチ４４ａでの遊技球の検出時に普通入賞口入賞数情報や普通入賞口賞球数情報を遊技機１の外部に出力することで、遊技機の外部では普通入賞口４４への遊技球の入賞状況等の具体的な情報を把握することが可能となる。
【０３１７】
また、遊技の進行に応じて変化する普通入賞口入賞数情報が遊技の進行に応じて変化しない普通入賞口賞球数情報に優先して出力されるので、遊技機１の外部において分析や演出等を効率よく行うことが可能となる。
【０３１８】
図１９は、第１始動口４５への遊技球の入賞時に外部出力端子板８６（第９端子〜第１１端子）から第１特図保留数情報、特図予定停止図柄情報、特図予定変動パターン情報及び第１始動口賞球数情報を出力する場合のタイミングチャートである。
【０３１９】
Ｔ１のタイミングにおいて、第１始動口スイッチ４５ａで遊技球を検出すると、第１特図保留数であることを示す情報種別信号、及び、メインＲＡＭに記憶されている第１特図保留数（２個）を示す数値情報信号の出力が開始され、タイミング信号がＯＮ（ハイレベル）からＯＦＦ（ローレベル）に切り替わる。
【０３２０】
Ｔ２のタイミングにおいて、情報種別信号及び数値情報信号の出力期間が終了すると、タイミング信号がＯＦＦ（ローレベル）からＯＮ（ハイレベル）に切り替わり、第１特図保留数情報の出力が完了する。
【０３２１】
続いて、Ｔ３のタイミングにおいて、Ｔ２のタイミングから出力インターバル（８ｍｓ）が経過すると、特図予定停止図柄であることを示す情報種別信号、及び、特図停止図柄の事前判定結果である１０ラウンド確変長当たり図柄を示す数値情報信号の出力が開始され、タイミング信号がＯＮ（ハイレベル）からＯＦＦ（ローレベル）に切り替わる。
【０３２２】
Ｔ４のタイミングにおいて、情報種別信号及び数値情報信号の出力期間が終了すると、タイミング信号がＯＦＦ（ローレベル）からＯＮ（ハイレベル）に切り替わり、特図予定停止図柄情報の出力が完了する。
【０３２３】
続いて、Ｔ５のタイミングにおいて、Ｔ４のタイミングから出力インターバル（８ｍｓ）が経過すると、特図予定変動パターンであることを示す情報種別信号、及び、特図変動パターンの事前判定結果であるパターン１８を示す数値情報信号の出力が開始され、タイミング信号がＯＮ（ハイレベル）からＯＦＦ（ローレベル）に切り替わる。
【０３２４】
Ｔ６のタイミングにおいて、情報種別信号及び数値情報信号の出力期間が終了すると、タイミング信号がＯＦＦ（ローレベル）からＯＮ（ハイレベル）に切り替わり、特図予定変動パターン情報の出力が完了する。
【０３２５】
続いて、Ｔ７のタイミングにおいて、Ｔ６のタイミングから出力インターバル（８ｍｓ）が経過すると、第１始動口賞球数であることを示す情報種別信号、及び、第１始動口４５に設定された賞球数である３個を示す数値情報信号の出力が開始され、タイミング信号がＯＮ（ハイレベル）からＯＦＦ（ローレベル）に切り替わる。
【０３２６】
Ｔ８のタイミングにおいて、情報種別信号及び数値情報信号の出力期間が終了すると、タイミング信号がＯＦＦ（ローレベル）からＯＮ（ハイレベル）に切り替わり、第１始動口賞球数情報の出力が完了する。
【０３２７】
このように、第１始動口スイッチ４５ａでの遊技球の検出時に第１特図保留数情報、特図予定停止図柄情報、特図予定変動パターン情報及び第１始動口賞球数情報を遊技機１の外部に出力することで、遊技機１の外部では第１特図保留数の変化状況や特図判定情報の事前判定の結果等の具体的な情報を把握することが可能となる。
【０３２８】
また、遊技の進行に応じて変化する第１特図保留数情報、特図予定停止図柄情報及び特図予定変動パターン情報が遊技の進行に応じて変化しない第１始動口賞球数情報に優先して出力されるので、遊技機１の外部において分析や演出等を効率よく行うことが可能となる。
【０３２９】
なお、図示していないが、第２始動口スイッチ４６ａでの遊技球の検出時においては、第２特図保留数情報、特図予定停止図柄情報、特図予定変動パターン情報及び第２始動口賞球数情報が遊技機１の外部に出力されるので、遊技機１の外部では第２特図保留数の変化状況や特図判定情報の事前判定結果等の具体的な情報を把握することが可能となる。
【０３３０】
図２０は、第１特図保留に基づく特別図柄の変動表示の開始時に外部出力端子板８６（第９端子〜第１１端子）から第１特図保留数情報、特図停止図柄情報及び特図変動パターン情報を出力する場合のタイミングチャートである。
【０３３１】
Ｔ１のタイミングにおいて、特別図柄の変動表示が開始されると、第１特図保留数であることを示す情報種別信号、及び、メインＲＡＭに記憶されている第１特図保留数（１個）を示す数値情報信号の出力が開始され、タイミング信号がＯＮ（ハイレベル）からＯＦＦ（ローレベル）に切り替わる。
【０３３２】
Ｔ２のタイミングにおいて、情報種別信号及び数値情報信号の出力期間が終了すると、タイミング信号がＯＦＦ（ローレベル）からＯＮ（ハイレベル）に切り替わり、第１特図保留数情報の出力が完了する。
【０３３３】
続いて、Ｔ３のタイミングにおいて、Ｔ２のタイミングから出力インターバル（８ｍｓ）が経過すると、特図停止図柄であることを示す情報種別信号、及び、特図停止図柄の判定結果である１０ラウンド確変長当たり図柄を示す数値情報信号の出力が開始され、タイミング信号がＯＮ（ハイレベル）からＯＦＦ（ローレベル）に切り替わる。
【０３３４】
Ｔ４のタイミングにおいて、情報種別信号及び数値情報信号の出力期間が終了すると、タイミング信号がＯＦＦ（ローレベル）からＯＮ（ハイレベル）に切り替わり、特図停止図柄情報の出力が完了する。
【０３３５】
続いて、Ｔ５のタイミングにおいて、Ｔ４のタイミングから出力インターバル（８ｍｓ）が経過すると、特図変動パターンであることを示す情報種別信号、及び、特図変動パターンの判定結果であるパターン１８を示す数値情報信号の出力が開始され、タイミング信号がＯＮ（ハイレベル）からＯＦＦ（ローレベル）に切り替わる。
【０３３６】
Ｔ６のタイミングにおいて、情報種別信号及び数値情報信号の出力期間が終了すると、タイミング信号がＯＦＦ（ローレベル）からＯＮ（ハイレベル）に切り替わり、特図変動パターン情報の出力が完成する。
【０３３７】
このように、第１特図保留に基づく特別図柄の変動表示の開始時（第１特図保留数の変化時）に第１特図保留数情報、特図停止図柄情報及び特図変動パターン情報を遊技機１の外部に出力することで、遊技機１の外部では第１特図保留数の変化状況や特図判定情報の判定結果等の具体的な情報を把握することが可能となる。
【０３３８】
なお、図示していないが、第２特図保留に基づく特別図柄の変動表示の開始時（第２特図保留数の変化時）においては、第２特図保留数情報、特図停止図柄情報及び特図変動パターン情報が遊技機１の外部に出力されるので、遊技機の外部では第２特図保留数の変化状況や特図判定情報の判定結果等の具体的な情報を把握することが可能となる。
【０３３９】
図２１は、１０ラウンド確変長当たり遊技におけるオープニングから第１ラウンドにかけて外部出力端子板８６（第９端子〜第１１端子）からラウンド数情報、大入賞口開放時間情報及び大入賞口賞球数情報を出力する場合のタイミングチャートである。
【０３４０】
Ｔ１のタイミングにおいて、大当たり遊技のオープニング期間が開始されると、ラウンド数であることを示す情報種別信号、及び、大当たり遊技で実行されるラウンド数（１０ラウンド）を示す数値情報信号の出力が開始され、タイミング信号がＯＮ（ハイレベル）からＯＦＦ（ローレベル）に切り替わる。
【０３４１】
Ｔ２のタイミングにおいて、情報種別信号及び数値情報信号の出力期間が終了すると、タイミング信号がＯＦＦ（ローレベル）からＯＮ（ハイレベル）に切り替わり、ラウンド数情報の出力が完了する。
【０３４２】
続いて、Ｔ３のタイミングにおいて、Ｔ２のタイミングから出力インターバル（８ｍｓ）が経過すると、大入賞口開放時間を示す情報種別信号、及び、大入賞口開放時間である長開放を示す数値情報信号の出力が開始され、タイミング信号がＯＮ（ハイレベル）からＯＦＦ（ローレベル）に切り替わる。
【０３４３】
Ｔ４のタイミングにおいて、情報種別信号及び数値情報信号の出力期間が終了すると、タイミング信号がＯＦＦ（ローレベル）からＯＮ（ハイレベル）に切り替わり、大入賞口開放時間情報の出力が完了する。
【０３４４】
続いて、Ｔ５のタイミングにおいて、１ラウンド目のラウンド遊技が開始され、Ｔ６のタイミングにおいて、大入賞口スイッチ５４ａで遊技球を検出すると、大入賞口賞球数であることを示す情報種別信号、及び、大入賞口５４に設定された賞球数である１５個を示す数値情報信号の出力が開始され、タイミング信号がＯＮ（ハイレベル）からＯＦＦ（ローレベル）に切り替わる。
【０３４５】
Ｔ７のタイミングにおいて、情報種別信号及び数値情報信号の出力期間が終了すると、タイミング信号がＯＦＦ（ローレベル）からＯＮ（ハイレベル）に切り替わり、大入賞口賞球数情報の出力が完了する。
【０３４６】
このように、大当たり遊技（オープニング期間）の開始時にラウンド数情報及び大入賞口開放時間情報を遊技機１の外部に出力することで、遊技機１の外部では大当たり遊技で実行されるラウンド数や、これから開始されるラウンド遊技での大入賞口５４の開放時間等の具体的な情報を把握することが可能となる。
【０３４７】
また、大入賞口スイッチ５４ａでの遊技球の検出時に大入賞口賞球数情報を出力することで、遊技機１の外部では大入賞口５４に設定された賞球数といった具体的な情報を把握することが可能となる。
【０３４８】
図２２は、１０ラウンド確変長当たり遊技におけるインターバル期間中、及び、インターバル期間中の普図ゲート５１への遊技球の通過時に外部出力端子板８６（第９端子〜第１１端子）から大入賞口入賞数情報、大入賞口開放時間情報、ゲート通過数情報及び普図保留数情報を出力する場合のタイミングチャートである。
【０３４９】
Ｔ１のタイミングにおいて、大当たり遊技のインターバル期間が開始されると、大入賞口入賞数であることを示す情報種別信号、及び、大入賞口入賞数カウンタの値（９個）を示す数値情報信号の出力が開始され、タイミング信号がＯＮ（ハイレベル）からＯＦＦ（ローレベル）に切り替わる。
【０３５０】
Ｔ２のタイミングにおいて、情報種別信号及び数値情報信号の出力期間が終了すると、タイミング信号がＯＦＦ（ローレベル）からＯＮ（ハイレベル）に切り替わり、大入賞口入賞数情報の出力が完了する。
【０３５１】
続いて、Ｔ３のタイミングにおいて、Ｔ２のタイミングから出力インターバル（８ｍｓ）が経過すると、大入賞口開放時間であることを示す情報種別信号、及び、大入賞口開放時間である長開放を示す数値情報信号の出力が開始され、タイミング信号がＯＮ（ハイレベル）からＯＦＦ（ローレベル）に切り替わる。
【０３５２】
Ｔ４のタイミングにおいて、情報種別信号及び数値情報信号の出力期間が終了すると、タイミング信号がＯＦＦ（ローレベル）からＯＮ（ハイレベル）に切り替わり、大入賞口開放時間情報の出力が完了する。
【０３５３】
続いて、Ｔ５のタイミングにおいて、ゲートスイッチ５１ａで遊技球を検出すると、ゲート通過数を示す情報種別信号、及び、ゲート通過数カウンタの値（４個）を示す数値情報信号の出力が開始され、タイミング信号がＯＮ（ハイレベル）からＯＦＦ（ローレベル）に切り替わる。
【０３５４】
Ｔ６のタイミングにおいて、情報種別信号及び数値情報信号の出力期間が終了すると、タイミング信号がＯＦＦ（ローレベル）からＯＮ（ハイレベル）に切り替わり、ゲート通過数情報の出力が完了する。
【０３５５】
続いて、Ｔ７のタイミングにおいて、Ｔ６のタイミングから出力インターバル（８ｍｓ）が経過すると、普図保留数であることを示す情報種別信号、及び、メインＲＡＭに記憶されている普図保留数（４個）を示す数値情報信号の出力が開始され、タイミング信号がＯＮ（ハイレベル）からＯＦＦ（ローレベル）に切り替わる。
【０３５６】
Ｔ８のタイミングにおいて、情報種別信号及び数値情報信号の出力期間が終了すると、タイミング信号がＯＦＦ（ローレベル）からＯＮ（ハイレベル）に切り替わり、普図保留数情報の出力が完了する。
【０３５７】
このように、インターバル期間の開始時に大入賞口入賞数情報及び大入賞口開放時間情報を遊技機１の外部に出力することで、遊技機１の外部では今回のラウンド遊技で大入賞口５４に入賞した遊技球数や、これから開始されるラウンド遊技での大入賞口５４の開放時間等の具体的な情報を把握することが可能となる。
【０３５８】
また、ゲートスイッチ５１ａでの遊技球の検出時にゲート通過数情報及び普図保留数情報を遊技機１の外部に出力することで、遊技機１の外部では普図ゲート５１への遊技球の通過状況や普図保留数の変化状況等の具体的な情報を把握することが可能となる。
【０３５９】
図２３は、２ラウンド通常短当たり遊技４のエンディング期間中に外部出力端子板８６（第９端子〜第１１端子）から大入賞口入賞数情報、連荘回数情報及び時短リミット回転数情報を出力する場合のタイミングチャートである。
【０３６０】
Ｔ１のタイミングにおいて、大当たり遊技のエンディング期間が開始されると、大入賞口入賞数であることを示す情報種別信号、及び、大入賞口入賞数カウンタの値（１０個）を示す数値情報信号の出力が開始され、タイミング信号がＯＮ（ハイレベル）からＯＦＦ（ローレベル）に切り替わる。
【０３６１】
Ｔ２のタイミングにおいて、情報種別信号及び数値情報信号の出力期間が終了すると、タイミング信号がＯＦＦ（ローレベル）からＯＮ（ハイレベル）に切り替わり、大入賞口入賞数情報の出力が完了する。
【０３６２】
続いて、Ｔ３のタイミングにおいて、Ｔ２のタイミングから出力インターバル（８ｍｓ）が経過すると、連荘回数であることを示す情報種別信号、及び、連荘回数カウンタの値（２回）を示す数値情報信号の出力が開始され、タイミング信号がＯＮ（ハイレベル）からＯＦＦ（ローレベル）に切り替わる。
【０３６３】
Ｔ４のタイミングにおいて、情報種別信号及び数値情報信号の出力期間が終了すると、タイミング信号がＯＦＦ（ローレベル）からＯＮ（ハイレベル）に切り替わり、連荘回数情報の出力が完了する。
【０３６４】
続いて、Ｔ５のタイミングにおいて、Ｔ４のタイミングから出力インターバル（８ｍｓ）が経過すると、時短リミット回転数であることを示す情報種別信号、及び、これから発生する時短遊技状態（普電サポート状態）で実行可能な特別図柄の変動表示の回数（１００回転）を示す数値情報信号の出力が開始され、タイミング信号がＯＮ（ハイレベル）からＯＦＦ（ローレベル）に切り替わる。
【０３６５】
Ｔ６のタイミングにおいて、情報種別信号及び数値情報信号の出力期間が終了すると、タイミング信号がＯＦＦ（ローレベル）からＯＮ（ハイレベル）に切り替わり、時短リミット回転数情報の出力が完了する。
【０３６６】
このように、エンディング期間の開始時に大入賞口入賞数情報、連荘回数情報及び時短リミット回転数情報を遊技機１の外部に出力することで、遊技機１の外部では最後のラウンド遊技で大入賞口５４に入賞した遊技球数や、大当たり遊技が連続して発生した連荘回数や、これから開始される時短遊技状態で実行可能な特別図柄の変動表示の回数等の具体的な情報を把握することが可能となる。
【０３６７】
図２４は、特別遊技情報の出力形態の変形例を示す図である。この変形例では、外部出力端子板８６に第１０端子及び第１１端子が設けられず、第９端子だけから特別遊技情報を出力する点が上記実施形態とは異なる。
【０３６８】
本変形例における特別遊技情報は、スタートビット、情報種別や数値情報を示すデータであるビット０〜７、ストップビットを１フレームとして第９端子から出力され、出力開始から８ｍｓ毎にスタートビット、データのビット０〜７、ストップビットへと変化し、８０ｍｓが経過した時点で８ビット（１バイト）分の出力が完了するようになっている。
【０３６９】
このようにすると、タイミング信号が不要となるため、外部出力端子板８６における特別遊技情報を出力するための出力端子の数を減らすことができ、コスト削減を図ることが可能となる。
【０３７０】
＜サブ制御装置の制御処理＞
次に、図２５〜図２８までのフローチャートを参照しながら、本実施形態に係るサブ制御装置３００の制御処理を説明する。サブ制御装置３００の制御処理は、メイン処理とタイマ割込処理を含んで構成される。
【０３７１】
図２５は、サブ制御装置３００のメイン処理を示すフローチャートであり、電源装置から動作電源が供給されるとシステムリセットが発生してサブＣＰＵのセキュリティチェックが行われ、その後に以下の処理が行われる。
【０３７２】
まず、ステップＳ１０００において、タイマ割込を禁止する割込禁止をセットし、ステップＳ１００１において、初期化処理を行う。この初期化処理では、サブＲＯＭから演出制御プログラムを読み込みと共に、サブＲＡＭの記憶情報を初期化する処理を行う。
【０３７３】
次に、ステップＳ１００２において、タイマ割込を許可する割込許可をセットし、ステップＳ１００３において、サブ乱数更新処理を行う。このサブ乱数更新処理では、各種演出等を決定する場合に用いる各種演出用乱数値を更新する処理を行う。以降は、ステップＳ１００３のサブ乱数更新処理を繰り返し行う。
【０３７４】
＜サブ制御装置のタイマ割込処理＞
図２６は、サブ制御装置３００のタイマ割込処理を示すフローチャートであり、ＣＴＣ回路から所定周期（４ｍｓ）毎にクロックパルスが入力されて以下の処理が行われる。
【０３７５】
まず、ステップＳ１０５０において、タイマ更新処理を行う。このタイマ更新処理では、特別図柄の変動表示演出の変動時間、操作演出に係る有効時間、演出図柄の停止時間、大当たり遊技演出に係る演出時間、普通図柄の変動表示演出の変動時間、当たり遊技演出に係る演出時間等を計測するためのタイマを更新する。
【０３７６】
次に、ステップＳ１１００において、入力処理を行う。この入力処理では、選択ボタンスイッチ２４ａ、演出ボタンスイッチ２５ａ、可動演出装置７４の位置検出スイッチ等の各種スイッチからの検出信号（入力信号）の入力を監視し、入力があった場合に所定のデータをセットする処理を行う。
【０３７７】
次に、ステップＳ１１５０において、コマンド解析処理を行う。このコマンド解析処理では、メイン制御装置１００から送信されたコマンドを正常受信したか否かを解析し、正常に受信したコマンドが情報系コマンド（保留数コマンド、遊技状態コマンド等）の場合には、当該コマンドに対応する情報をサブＲＡＭにセットし、特図・普図遊技系コマンド（客待ちコマンド、事前判定コマンド、特図停止図柄コマンド、特図変動パターンコマンド、特図確定コマンド、普図停止図柄コマンド、普図変動パターンコマンド、普図確定コマンド、オープニングコマンド、ラウンド数コマンド、インターバルコマンド、エンディングコマンド等）の場合には、当該コマンドをサブＲＡＭの受信コマンド領域にセットする処理を行う。
【０３７８】
次に、ステップＳ１２００において、先読み演出処理を行う。この先読み演出処理では、サブＲＡＭの受信コマンド領域を参照して事前判定コマンドを受信しているか否かを判定し、受信している場合には、１又は複数の変動表示演出に亘って大当たり遊技が実行される可能性があることや所定のリーチ演出が実行されることを予告する先読み演出（先読み連続予告演出、先読みアイコン変化演出、先読みゾーン演出など）の実行の有無や実行する先読み演出の種類を決定し、先読み演出を実行するための処理を行う。
【０３７９】
次に、ステップＳ１２５０において、特図遊技演出処理を行う。この特図遊技演出処理では、サブＲＡＭの受信コマンド領域を参照して特図遊技に関するコマンド（特図停止図柄コマンド、特図変動パターンコマンド、特図確定コマンド、オープニングコマンド、ラウンド数コマンド、インターバルコマンド、エンディングコマンド等）を受信しているか否かを判定し、受信しているコマンドに対応して特図遊技演出（特図変動表示演出、大当たり演出等）を実行するための処理を行う。詳細は後述する。
【０３８０】
次に、ステップＳ１３００において、普図遊技演出処理を行う。この普図遊技演出処理では、サブＲＡＭの受信コマンド領域を参照して普図遊技に関するコマンド（普図停止図柄コマンド、普図変動パターンコマンド、普図確定コマンド、オープニングコマンド、エンディングコマンド等）を受信しているか否かを判定し、受信しているコマンドに対応して普図遊技演出（普図変動表示演出、当り演出等）を実行するための処理を行う。詳細は後述する。
【０３８１】
次に、ステップＳ１３５０において、エラー報知処理を行う。このエラー報知処理では、サブＲＡＭの受信コマンド領域を参照してエラー発生コマンド（枠開放エラーコマンド、異常入賞エラーコマンド、磁気エラーコマンド、電波エラーコマンド、右打ちエラーコマンド）やエラー解消コマンド（枠開放エラー解消コマンド等）を受信しているか否かを判定し、受信しているコマンドに対応するエラー報知を実行するための処理を行う。
【０３８２】
最後に、ステップＳ１４００において、出力処理を行い、今回のタイマ割込処理を終了する。この出力処理では、各種演出装置（選択ボタン装置２３、演出ボタン装置２５、枠発光部１３、回転発光部１４、可動演出装置７４）への制御データを出力したり、ＶＤＰへの演出指令情報等を送信したりする処理を行う。これにより、スピーカー１２から演出音が出力されたり、第１画像表示装置７１及び第２画像表示装置７２に演出画像が表示されたりすることになる。
【０３８３】
＜サブ制御装置３００の特図遊技演出処理＞
図２７は、サブ制御装置３００の特図遊技演出処理を示すフローチャートであり、上述したタイマ割込処理内において実行される。
【０３８４】
まず、ステップＳ１２５１において、サブＲＡＭに記憶される変動演出処理データを参照し、ステップＳ１２５２において、変動演出処理データから分岐先の処理を特定する。
【０３８５】
変動演出処理データ＝０の場合には、ステップＳ１２５３において、特図変動開始コマンド受信待ち処理を行い、今回の特図遊技演出処理を終了する。この特図変動開始コマンド受信待ち処理では、サブＲＡＭの受信コマンド領域を参照して特図変動開始コマンド（特図停止図柄コマンド、特図変動パターンコマンド）を受信しているか否かを判定し、特図変動開始コマンドを受信している場合に変動演出処理データに１をセットする処理を行う。
【０３８６】
また、サブＲＡＭの受信コマンド領域を参照して客待ちコマンドを受信しているか否かを判定し、客待ちコマンドを受信している場合に所定時間（例えば６０秒）経過後から客待ち演出を実行するための処理を行う。
【０３８７】
変動演出処理データ＝１の場合には、ステップＳ１２５４において、特図変動表示演出開始処理を行い、今回の特図遊技演出処理を終了する。この特図変動表示演出開始処理では、特図変動開始コマンド（特図停止図柄コマンド、特図変動パターンコマンド）に基づいて停止表示させる演出図柄や特図変動表示演出パターンの種類を決定すると共に、各種予告演出や操作演出の実行の有無や実行する演出の種類等を決定して特図変動表示演出（演出図柄や第４図柄の変動表示）を開始する制御を行い、変動演出処理データに２をセットする処理を行う。
【０３８８】
変動演出処理データ＝２の場合には、ステップＳ１２５５において、特図変動表示演出中処理を行い、今回の特図遊技演出処理を終了する。この特図遊技演出処理では、特図変動表示演出パターンにおける各変動演出状態（高速変動、低速変動、リーチ変動、スーパーリーチ変動、スペシャルリーチ変動、再抽選変動、変動仮停止等）の切替タイミングを制御すると共に、変動表示演出時間の終了を判定し、変動表示演出時間が終了した場合に変動演出処理データに３をセットする処理を行う。
【０３８９】
変動演出処理データ＝３の場合には、ステップＳ１２５６において、特図変動表示演出停止処理を行い、今回の特図遊技演出処理を終了する。この特図変動表示演出停止処理では、サブＲＡＭの受信コマンド領域を参照して特図確定コマンドを受信しているか否かを判定し、受信している場合に仮停止している演出図柄を本停止させると共に、第４図柄の変動表示を停止させて特図変動表示演出を終了させる制御を行う。
【０３９０】
また、ハズレ演出図柄を本停止させた場合には、変動演出処理データに０をセットし、大当たり演出図柄を本停止させた場合には、変動演出処理データに４をセットする処理を行う。
【０３９１】
変動演出処理データ＝４の場合には、ステップＳ１２５７において、大当たり演出処理を行い、今回の特図演出処理を終了する。この大当たり演出処理では、サブＲＡＭの受信コマンド領域を参照してオープニングコマンド、ラウンド数コマンド、インターバルコマンド、エンディングコマンドを受信しているか否かを判定し、受信しているコマンドに応じた大当たり演出（オープニング演出、ラウンド演出、インターバル演出、エンディング演出等）を実行する制御を行い、エンディング演出を開始した場合には変動演出処理データに５をセットする処理を行う。
【０３９２】
変動演出処理データ＝５の場合には、ステップＳ１２５８において、大当たり演出終了処理を行い、今回の特図演出処理を終了する。この大当たり演出終了処理では、エンディング演出が終了したか否かを判定し、エンディング演出が終了した場合に変動演出処理データに０をセットする処理を行う。
【０３９３】
＜サブ制御装置の普図遊技演出処理＞
図２８は、サブ制御装置３００の普図遊技演出処理を示すフローチャートであり、上述したタイマ割込処理内において実行される。
【０３９４】
まず、ステップＳ１３０１において、サブＲＡＭに記憶される普図演出処理データを参照し、ステップＳ１３０２において、普図演出処理データから分岐先の処理を特定する。
【０３９５】
普図演出処理データ＝０の場合には、ステップＳ１３０３において、普図変動開始コマンド受信待ち処理を行い、今回の普図遊技演出処理を終了する。この普図変動開始コマンド受信待ち処理では、サブＲＡＭの受信コマンド領域を参照して普図変動開始コマンド（普図停止図柄コマンド、普図変動パターンコマンド）を受信しているか否かを判定し、普図変動開始コマンドを受信している場合に普図演出処理データに１をセットする処理を行う。
【０３９６】
普図演出処理データ＝１の場合には、ステップＳ１３０４において、普図演出開始処理を行い、今回の普図遊技演出処理を終了する。この普図演出開始処理では、普図変動開始コマンド（普図停止図柄コマンド、普図変動パターンコマンド）に基づいて停止表示させる普通演出図柄や普図変動表示演出パターンの種類を決定して、普図変動表示演出を開始する制御を行い、普図演出処理データに２をセットする処理を行う。
【０３９７】
普図演出処理データ＝２の場合には、ステップＳ１３０５において、普図演出中処理を行い、今回の普図遊技演出処理を終了する。この普図演出中処理では、普図変動表示演出パターンにおける各変動演出状態（高速変動、低速変動、変動仮停止等）の切替タイミングを制御すると共に、普図変動表示演出時間の終了を判定し、普図変動表示演出時間が終了した場合に普図演出処理データに３をセットする処理を行う。
【０３９８】
普図演出処理データ＝３の場合には、ステップＳ１３０６において、普図演出停止処理を行い、今回の普図遊技演出処理を終了する。この普図演出停止処理では、サブＲＡＭの受信コマンド領域を参照して普図確定コマンドを受信しているか否かを判定し、受信している場合に仮停止している普通演出図柄を本停止させて普図変動表示演出を終了させる制御を行う。
【０３９９】
また、ハズレ普通演出図柄が本停止された場合には、普図演出処理データに０をセットし、当たり普通演出図柄が本停止された場合には、普図演出処理データに４をセットする処理を行う。
【０４００】
普図演出処理データが４の場合には、ステップＳ１３０７において、当たり演出処理を行い、今回の普図遊技演出処理を終了する。この当り演出処理では、サブＲＡＭの受信コマンド領域を参照してオープニングコマンド、エンディングコマンドを受信しているか否かを判定し、受信しているコマンドに応じた当たり演出を実行する制御を行う。
【０４０１】
また、エンディング演出が終了したか否かを判定し、エンディング演出が終了した場合に普図演出処理データに０をセットする処理を行う。
【産業上の利用可能性】
【０４０２】
本発明のパチンコ遊技機は、所謂確変機に限られるものではなく、大当たり遊技の終了後に所定回数まで確変遊技状態が継続するＳＴ機、大当たり遊技中の特定領域への遊技球の入賞により大当たり遊技の終了後に所定回数まで確変遊技状態が継続するＶ―ＳＴ機、小当たり中の特定領域への遊技球の入賞により大当たり遊技が実行される所謂羽根物と呼ばれる遊技機であってもよい。また、雀球遊技機、アレンジボール遊技機であってもよいし、内部に封入された遊技球を用いて遊技を行う封入球遊技機であってもよい。
【０４０３】
また、今回開示された実施の形態は全ての点で例示であって制限的なものではないと考えられるべきである。本発明の範囲は上述した説明ではなく特許請求の範囲によって示され、特許請求の範囲と均等の意味及び範囲内での全ての変更が含まれることが意図される。
【符号の説明】
【０４０４】
１  遊技機
５  遊技盤
４４  普通入賞口
４５  第１始動口
４６  第２始動口
５１  普図ゲート
５４  大入賞口
７１  第１画像表示装置
７２  第２画像表示装置
８６  外部出力端子板
１００  メイン制御装置
２００  払出制御装置
３００  サブ制御装置
【図１】
0006259976.tif 000002
【図２】
0006259976.tif 000003
【図３】
0006259976.tif 000004
【図４】
0006259976.tif 000005
【図５】
0006259976.tif 000006
【図６】
0006259976.tif 000007
【図７】
0006259976.tif 000008
【図８】
0006259976.tif 000009
【図９】
0006259976.tif 000010
【図１０】
0006259976.tif 000011
【図１１】
0006259976.tif 000012
【図１２】
0006259976.tif 000013
【図１３】
0006259976.tif 000014
【図１４】
0006259976.tif 000015
【図１５】
0006259976.tif 000016
【図１６】
0006259976.tif 000017
【図１７】
0006259976.tif 000018
【図１８】
0006259976.tif 000019
【図１９】
0006259976.tif 000020
【図２０】
0006259976.tif 000021
【図２１】
0006259976.tif 000022
【図２２】
0006259976.tif 000023
【図２３】
0006259976.tif 000024
【図２４】
0006259976.tif 000025
【図２５】
0006259976.tif 000026
【図２６】
0006259976.tif 000027
【図２７】
0006259976.tif 000028
【図２８】
0006259976.tif 000029